(57)【要約】【課題】印刷機でＣ、ＭまたはＹの単色、ＣＭ、ＭＹまたはＣＹの２色で出力される色については校正用カラープリンタにおいても同様に単色または２色で出力するように変換することが可能な色調整方法を提供することにある。【解決手段】色変換テーブルを印刷機及び校正用カラープリンタのデバイスカラープロファイル（ＣＭＹＫ→Ｌ＊ａ＊ｂ＊  ＬＵＴ）から作成する際に、印刷機のデバイスカラープロファイルにおけるＣ、Ｍ、Ｙの単色またはそのうちの２色のパラメータの組み合わせに対応するＬ＊ａ＊ｂ＊値について、校正用カラープリンタのデバイスカラープロファイルにおけるＬ＊ａ＊ｂ＊値に写像する。【選択図】      図１７
2004357077.tif 000002
【特許請求の範囲】
【請求項１】
第１のカラー画像出力装置で画像データに基づいて出力する画像の色を色合わせの目標とし、前記目標とする色を第２のカラー画像出力装置で再現するために、入力側の４色の基本色（Ｃ（シアン）、Ｍ（マゼンタ）、Ｙ（イエロー）及びＫ（ブラック））のパラメータの組み合わせについて前記第１のカラー画像出力装置が出力する色を前記第２のカラー画像出力装置で出力するための４色の基本色のパラメータの組み合わせを出力側に関連づけた色変換テーブルを用いて前記画像データに示される４色の基本色のパラメータを変換して色の調整を行う色調整方法であって、
前記第１のカラー画像出力装置と第２のカラー画像出力装置とのそれぞれについて４色の基本色のパラメータの組み合わせに、各組み合わせにより出力される色を示す色特性の値を関連づけたそれぞれの第１の参照テーブルを作成し、前記第２のカラー画像出力装置についての前記第１の参照テーブルに基づいて複数の色特性の値に各色特性の値で示される色を出力するための４色の基本色のパラメータの組み合わせを関連づけた第２の参照テーブルとを作成するステップと、
前記第１のカラー画像出力装置の第１の参照テーブルと前記第２のカラー画像出力装置の前記第２の参照テーブルとを用いて前記色変換テーブルを作成するとともに、その作成の際に、少なくとも前記第１のカラー画像出力装置の第１の参照テーブルにおける４色の基本色のパラメータのＫ及びＹのパラメータが０でＣ、Ｍのそれぞれのパラメータが０から最大値までの組み合わせに対応する色特性の値、Ｋ及びＭのパラメータが０でＣ、Ｙのそれぞれのパラメータが０から最大値までの組み合わせに対応する色特性の値、及び、Ｋ及びＣのパラメータが０でＭ、Ｙのそれぞれのパラメータが０から最大値までの組み合わせに対応する色特性の値について、それぞれ前記第２のカラー画像出力装置の第１の参照テーブルにおいて４色の基本色のパラメータをＫ及びＹのパラメータが０で、Ｃ、Ｍのそれぞれのパラメータを０から最大値まで変化させたときの色特性の値を示す面、Ｋ及びＭのパラメータが０で、Ｃ、Ｙのそれぞれのパラメータを０から最大値まで変化させたときの色特性の値を示す面、Ｋ及びＣのパラメータが０で、Ｍ、Ｙのそれぞれのパラメータを０から最大値まで変化させたときの色特性の値を示す面の面上の色特性の値に写像するステップとを含むことを特徴とする色調整方法。
【請求項２】
前記第１のカラー画像出力装置の第１の参照テーブルにおける前記写像の対象の組み合わせ以外の組み合わせに対応する色特性の値を、その色特性の値の示す明度に応じて前記写像の対象の組み合わせに対応する色特性の値の前記写像による変化量より小さい変化量でもって変化させる請求項１に記載の色調整方法。
【請求項３】
請求項１または請求項２のいずれか一項に記載の色調整方法をコンピュータに実行させるためのプログラム。
【請求項４】
請求項３に記載のプログラムを前記コンピュータで読み出し可能に記録した記録媒体。
【発明の詳細な説明】
【０００１】
【発明の属する技術分野】
本発明は、色調整方法、この色調整方法実行のためのプログラム及びプログラムを格納した記録媒体に関し、特に、カラー画像出力装置で出力する画像の色を出力するべき色で出力するように画像データに示される４色の基本色（イエロー（Ｙ）、マゼンタ（Ｍ）、シアン（Ｃ）及びブラック（Ｋ））のパラメータ（階調値、網点面積率等）を色変換テーブルを用いて変換して調整するものに関する。
【０００２】
【従来の技術】
従来、網点タイプのカラープルーフを出力する校正用カラープリンタではＣＭＹＫの各色材の色が印刷インキ色に近いため、網点太りの違いの補正（ドットゲインカーブ補正）を、ＣＭＹＫの各色について網点面積率の測定結果に基づいて行うことで、ある程度まで印刷機に対して色を合わせることが可能であった。しかし、レッドＲ、グリーンＧ、ブルーＢの２次色、ＣＭＹ３色による黒、ＣＭＹＫ４色による黒やそれらの付近の色については、印刷機と色の出方が異なり、厳密な色合わせは困難であった。そこで、例えば、いわゆるカラーマネージメントシステムが提案され、校正用カラープリンタの色を印刷機の色に合わせ込む等の色調整が可能になった。
【０００３】
ここで、カラーマネージメントシステムには、一例として、校正用カラープリンタや印刷機における複数の基本色のパラメータの組み合わせに対するＬ＊ａ＊ｂ＊値等の色特性の値のルックアップテーブル（ＣＭＹＫ→Ｌ＊ａ＊ｂ＊  ＬＵＴ）や複数の色特性の値に対する複数の基本色のパラメータの組み合わせのルックアップテーブル（Ｌ＊ａ＊ｂ＊→ＣＭＹＫ  ＬＵＴ）を含む出力装置の出力色特性を表すデバイスカラープロファイルを用いて（Ｃはシアン（青緑色）、Ｍはマゼンタ（赤紫色）、Ｙはイエロー（黄色）、Ｋはブラック（黒色）であり、Ｌ＊ａ＊ｂ＊値は色を表す３次元座標空間で、ａ＊ｂ＊平面により色あい・彩度が表され、Ｌ＊はａ＊ｂ＊平面に直交し明度を表し、ＬＵＴはルックアップテーブルである。また、パラメータとは、いわゆる階調、網点面積率や濃度等である。）、印刷機で出力する目標とする色を校正用カラープリンタで出力するように、ＣＭＹＫのパラメータの組み合わせを変換するデバイスリンクカラープロファイルＣＭＹＫ→ＣＭＹＫ  ＬＵＴ作成し、ＣＭＹＫ→ＣＭＹＫ  ＬＵＴを用いて校正用カラープリンタの色を印刷機の色に合わせ込むものがある。
【０００４】
しかしながら、上述のような変換による色調整方法では、印刷機のデバイスカラープロファイルでＣＭＹＫを表色系の値に変換し、校正用カラープリンタのデバイスカラープロファイルで表色系の値をＣＭＹＫに変換するため、Ｃ、ＭまたはＹ単色部に他の基本色が混じり印刷機の出力ではＣ、ＭまたはＹが単色で出力されているにも関わらず、校正用カラープリンタで出力したカラープルーフに他の色が混じることがあった。また、印刷機の出力ではＣ、ＭまたはＹが単色のベタで出力されているにも関わらず、校正用カラープリンタで出力したカラープルーフではベタにならず網点が入る場合があった。特に、印刷機が出力する網点画像を再現する校正用カラープリンタで出力したカラープルーフは、校正者がルーペを用いて色の構成や網点の様子を確認することがあるので、上述のように他の色が混じることや網点が入ることは、校正の間違いの基になる場合があった。
【０００５】
そこで、上述のような変換による色調整を行いつつ、Ｃ、ＭまたはＹ単色部分は校正用カラープリンタでも同様にＣ、ＭまたはＹ単色で、またそれぞれの単色のベタは単色のベタとして出力するようにしたものがある（例えば、特許文献１参照。）。
【０００６】
【特許文献１】
特開２０００−３３０３０３号公報（段落〔００２０〕−〔０１１６〕、図１乃至図２６）
【０００７】
【発明が解決しようとする課題】
しかしながら、上述の校正用カラープリンタでは、Ｃ、ＭまたはＹ単色についてはそれぞれ単色として再現されるが、ＣＭ、ＭＹ、ＣＹ２色については考慮されていないので、他の色が入ってしまうことがあり、校正者がルーペを用いて確認した場合に印刷機で出力する印刷物と様子が異なり好ましくない。
【０００８】
本発明は、上記事情に鑑みてなされたものであり、その目的とするところは、印刷機の出力する画像データに基づく画像の色を目標とし、校正用カラープリンタでその画像を出力するときに、その目標とする色で出力するように画像データの４色の基本色（Ｃ、Ｍ、Ｙ、Ｋ）のパラメータの組み合わせをカラープロファイル（ＣＭＹＫ→ＣＭＹＫ  ＬＵＴ）を用いて変換する場合に、印刷機でＣ、ＭまたはＹの単色、ＣＭ、ＭＹまたはＣＹの２色で出力される色については校正用カラープリンタにおいても同様に単色または２色で出力するように変換することが可能な色調整方法、この色調整方法実行のためのプログラム及びプログラムを格納した記録媒体を提供することにある。
【０００９】
【課題を解決するための手段】
上記目的を達成するために、請求項１記載の発明は、第１のカラー画像出力装置で画像データに基づいて出力する画像の色を色合わせの目標とし、前記目標とする色を第２のカラー画像出力装置で再現するために、入力側の４色の基本色（Ｃ（シアン）、Ｍ（マゼンタ）、Ｙ（イエロー）及びＫ（ブラック））のパラメータの組み合わせについて前記第１のカラー画像出力装置が出力する色を前記第２のカラー画像出力装置で出力するための４色の基本色のパラメータの組み合わせを出力側に関連づけた色変換テーブルを用いて前記画像データに示される４色の基本色のパラメータを変換して色の調整を行う色調整方法であって、前記第１のカラー画像出力装置と第２のカラー画像出力装置とのそれぞれについて４色の基本色のパラメータの組み合わせに、各組み合わせにより出力される色を示す色特性の値を関連づけたそれぞれの第１の参照テーブルを作成し、前記第２のカラー画像出力装置についての前記第１の参照テーブルに基づいて複数の色特性の値に各色特性の値で示される色を出力するための４色の基本色のパラメータの組み合わせを関連づけた第２の参照テーブルとを作成するステップと、前記第１のカラー画像出力装置の第１の参照テーブルと前記第２のカラー画像出力装置の前記第２の参照テーブルとを用いて前記色変換テーブルを作成するとともに、その作成の際に、少なくとも前記第１のカラー画像出力装置の第１の参照テーブルにおける４色の基本色のパラメータのＫ及びＹのパラメータが０でＣ、Ｍのそれぞれのパラメータが０から最大値までの組み合わせに対応する色特性の値、Ｋ及びＭのパラメータが０でＣ、Ｙのそれぞれのパラメータが０から最大値までの組み合わせに対応する色特性の値、及び、Ｋ及びＣのパラメータが０でＭ、Ｙのそれぞれのパラメータが０から最大値までの組み合わせに対応する色特性の値について、それぞれ前記第２のカラー画像出力装置の第１の参照テーブルにおいて４色の基本色のパラメータをＫ及びＹのパラメータが０で、Ｃ、Ｍのそれぞれのパラメータを０から最大値まで変化させたときの色特性の値を示す面、Ｋ及びＭのパラメータが０で、Ｃ、Ｙのそれぞれのパラメータを０から最大値まで変化させたときの色特性の値を示す面、Ｋ及びＣのパラメータが０で、Ｍ、Ｙのそれぞれのパラメータを０から最大値まで変化させたときの色特性の値を示す面の面上の色特性の値に写像するステップとを含むことを特徴としている。
【００１０】
また、請求項２記載の発明は、前記第１のカラー画像出力装置の第１の参照テーブルにおける前記写像の対象の組み合わせ以外の組み合わせに対応する色特性の値を、その色特性の値の示す明度に応じて前記写像の対象の組み合わせに対応する色特性の値の前記写像による変化量より小さい変化量でもって変化させることを特徴としている。
【００１１】
また、請求項３記載の発明は、請求項１または請求項２のいずれか一項に記載の色調整方法をコンピュータに実行させるためのプログラムであることを特徴としている。
【００１２】
また、請求項４記載の発明は、請求項３に記載のプログラムを前記コンピュータで読み出し可能に記録した記録媒体であることを特徴としている。
【００１３】
【発明の実施の形態】
本発明は、例えば、印刷機（第１のカラー画像出力装置）の出力する画像データに基づく画像の色を目標とし、校正用カラープリンタ（第２のカラー画像出力装置）でその画像を出力するときに、その目標とする色で出力するように画像データの４色の基本色（Ｃ、Ｍ、Ｙ、Ｋ）のパラメータの組み合わせを、入力側の４色の基本色のパラメータの組み合わせについて、入力側の４色の基本色のパラメータの組み合わせを印刷機で印刷したときの色を校正用カラープリンタで出力するための４色の基本色のパラメータの組み合わせが出力側に関連づけられたデバイスリンクカラープロファイル（ＣＭＹＫ→ＣＭＹＫ  ＬＵＴ（色変換テーブル））を用いて変換する場合に、印刷機でＣ、Ｍ、Ｙの単色で出力される領域及びＣ、Ｍ、Ｙのうちの２色で出力される領域については校正用カラープリンタにおいてもＣ、Ｍ、Ｙの単色またはそのうちの２色で他の色の網点が混じることなく出力するように変換するように、印刷機及び校正用カラープリンタのデバイスカラープロファイル（ＣＭＹＫ→Ｌ＊ａ＊ｂ＊  ＬＵＴ）から作成する際に、印刷機のデバイスカラープロファイルにおけるＣ、Ｍ、Ｙの単色またはそのうちの２色パラメータの組み合わせに対応するＬ＊ａ＊ｂ＊値について、校正用カラープリンタのデバイスカラープロファイルにおけるＬ＊ａ＊ｂ＊値に写像して、その写像がなされた印刷機のデバイスカラープロファイル（ＣＭＹＫ→Ｌ＊ａ＊ｂ＊  ＬＵＴ）を用いる（詳細後述）。
【００１４】
ここで、４色の基本色（Ｃ、Ｍ、Ｙ、Ｋ）とは、Ｃはシアン（青緑色）、Ｍはマゼンタ（赤紫色）、Ｙはイエロー（黄色）、Ｋはブラック（黒色）である。また、パラメータとは、いわゆる階調、網点面積率等であり、以下の実施の形態では、階調を用い、最小値を０、最大値を２５５とする数値で表す。０は白であり、２５５は例えば網点面積率であれば１００％すなわちベタを表すものであり、また、例えば「ＣＭＹＫの組み合わせ」「Ｋ」等の表記で以下に示すものは、「ＣＭＹＫのパラメータの組み合わせ」「Ｋのパラメータ」のことで、階調の値を示す。また、Ｌ＊ａ＊ｂ＊値とは、表色系の値であって、Ｌ＊軸、ａ＊軸、ｂ＊軸の３次元座標空間で色を表し、ａ＊ｂ＊平面により色あい及び彩度が表され、Ｌ＊はａ＊ｂ＊平面に直交し明度を表す色特性の値である。また、ＬＵＴはルックアップテーブル（参照テーブル）である。
【００１５】
以下、本発明に係る画像形成システムの一実施形態について、図面を参照しつつ具体的に説明する。
【００１６】
（制御構成）
まず、本発明に係る実施の形態の制御構成を図１を用いて説明する。図１は、本発明の色調整を実施するための制御装置１の機能ブロック図である。
【００１７】
制御装置１は、いわゆるコンピュータであって、校正用カラープリンタ２の画像形成制御に関する制御を行うコントローラとして機能し、図１に示すように、プログラム、画像データ及び各種ルックアップテーブル等を記憶するＨＤＤ（Ｈａｒｄ  Ｄｉｓｋ  Ｄｒｉｖｅ）からなる記憶部１０、目標とする印刷機（図示せず）の出力する色で校正用カラープリンタ２が画像を出力するように画像データのＣＭＹＫの階調を変換して色調整を行うとともに、画像を形成するように校正用カラープリンタ２を制御する機能を有する制御部１１を備える。また、図示しないが、画像データやカラーパッチの測定結果を入力するための入力手段を備えている。また、ＣＲＴ等のディスプレイ、マウス、キーボード等を備えていてもよい。
【００１８】
記憶部１０は、図示しない作業端末から送信される画像データを記憶する画像データ記憶部１２、カラーパッチの測定結果を記憶する測定テーブル１３１や各種ルックアップテーブルを記憶するＬＵＴ記憶部１３、制御装置１全体を制御するためのプログラム、及び、カラーパッチの測定結果から各種ルックアップテーブルを作成するためのプログラム、画像データのＣＭＹＫの階調を変換して色調整を行うためのプログラム、画像形成装置２での画像形成を制御するためのプログラム等を特定のディレクトリに記憶する。
【００１９】
また、カラーパッチの測定結果から各種ルックアップテーブルを作成するためのプログラム、画像データのＣＭＹＫの階調を変換して色調整を行うためのプログラムを、例えばフロッピー（登録商標）ディスク、ＣＤ−ＲＯＭ、磁気記録テープ等の可搬性の記録媒体等に格納してもよい。また、かかるプログラムソフトウエアをコンピュータで実行する場合には、コンピュータに付属の読取装置で上述の記録媒体から読み出すことができる。
【００２０】
制御部１１は、ＣＰＵなどからなり記憶部１１に記憶されるプログラムに基づいて制御装置１全体を制御する機能と校正用カラープリンタ２の画像形成制御に関する制御をする機能とを備える。また、記憶部１１に記憶されるプログラムに基づいて各種ルックアップテーブルを作成するＬＵＴ作成手段１５、及び、ＬＵＴ作成手段１５により作成されＬＵＴ記憶部１３に記憶されたデバイスリンクカラープロファイル（ＣＭＹＫ→ＣＭＹＫ  ＬＵＴ１３６）を用いて目標とする印刷機の出力する色で校正用カラープリンタ２が画像を出力するように記憶部１１に記憶されるプログラムに基づいて画像データのＣＭＹＫの階調を変換して色調整を行う色調整手段１４を備えている。また、各種ルックアップテーブルの作成方法及びＣＭＹＫ→ＣＭＹＫ  ＬＵＴ１３６を用いた色調整方法の詳細につては後述する。
【００２１】
また、ＬＵＴ記憶部１３に記憶される各種ルックアップテーブルには、印刷機のデバイスカラープロファイルを構成する印刷機のＣＭＹＫ→Ｌ＊ａ＊ｂ＊  ＬＵＴ１３２（第１の参照テーブル）、及び、印刷機のＬ＊ａ＊ｂ＊→ＣＭＹＫ  ＬＵＴ１３３、校正用カラープリンタのデバイスカラープロファイルを構成する校正用カラープリンタ２のＣＭＹＫ→Ｌ＊ａ＊ｂ＊  ＬＵＴ１３４（第１の参照テーブル）、校正用カラープリンタ２のＬ＊ａ＊ｂ＊→ＣＭＹＫ  ＬＵＴ１３５（第２の参照テーブル）、及び、上述の目標とする印刷機の出力する色で校正用カラープリンタ２が画像を出力するように画像データのＣＭＹＫの階調を変換するためのデバイスリンクカラープロファイルとしてＣＭＹＫ→ＣＭＹＫ  ＬＵＴ１３６がある。
【００２２】
（色調整方法）
次に、本実施の形態の制御装置１で行う色調整方法について述べる。図２は本実施の形態に係る色調整方法の各ステップを示すフローチャートである。最初に、図２により色調整方法の各ステップを概略的に説明する。
【００２３】
まず、ＬＵＴ作成手段１５は、印刷機で出力した印刷物及び校正用カラープリンタのカラーチャートの測色結果を受け付け、その測定結果に基づいてデバイスカラープロファイルを作成する（図２ステップＳ１０１、以下Ｓ１０１と省略し、他のステップも同様に省略する）。
【００２４】
次に、入力側のＣＭＹＫの組み合わせとして印刷機におけるＣＭＹＫの組み合わせ、出力側のＣＭＹＫの組み合わせとして校正用カラープリンタ２のＣＭＹＫの組み合わせで構成されるデバイスリンクカラープロファイルを作成する（Ｓ１０２）。
【００２５】
本実施の形態においては、少なくとも印刷機のデバイスカラープロファイル（ＣＭＹＫ→Ｌ＊ａ＊ｂ＊  ＬＵＴ１３２）におけるＫ＝Ｙ＝０でＣ、Ｍのそれぞれが０から２５５（最大値）のＣＭＹＫの組み合わせに対応するＬ＊ａ＊ｂ＊値、Ｋ＝Ｍ＝０でＣ、Ｙのそれぞれが０から２５５のＣＭＹＫの組み合わせに対応するＬ＊ａ＊ｂ＊値、及び、Ｋ＝Ｃ＝０でＭ、Ｙのそれぞれが０から２５５のＣＭＹＫの組み合わせに対応するＬ＊ａ＊ｂ＊値のそれぞれについて、それぞれ校正用カラープリンタ２のデバイスカラープロファイル（ＣＭＹＫ→Ｌ＊ａ＊ｂ＊ＬＵＴ１３４）においてＫ及びＹのパラメータが０でＣ、Ｍのそれぞれのパラメータを０から２５５まで変化させたときにＬ＊ａ＊ｂ＊座標空間に形成される面、Ｋ及びＭのパラメータが０でＣ、Ｙのそれぞれのパラメータを０から２５５まで変化させたときにＬ＊ａ＊ｂ＊座標空間に形成される面、及び、Ｋ及びＣのパラメータが０でＭ、Ｙのそれぞれのパラメータを０から２５５まで変化させたときにＬ＊ａ＊ｂ＊座標空間に形成される面の面上のＬ＊ａ＊ｂ＊値に写像して、その写像がなされた印刷機のデバイスカラープロファイル（ＣＭＹＫ→Ｌ＊ａ＊ｂ＊  ＬＵＴ１３２）を用いて、校正用カラープリンタ２のデバイスカラープロファイル（Ｌ＊ａ＊ｂ＊→ＣＭＹＫ  ＬＵＴ１３５）とからデバイスリンクカラープロファイルを作成する（詳細後述）。
【００２６】
次に、色調整手段１４は、画像データについて１画素ずつデバイスリンクカラープロファイルによりＣＭＹＫの階調を変換し色調整を行う（Ｓ１０３）。そして、変換した画像データを校正用カラープリンタ２に送信し、校正用カラープリンタ２は送信された画像データに基づいて画像を出力する。
【００２７】
まず、上述のデバイスカラープロファイルの内容と作成方法について詳細に説明する。
【００２８】
（Ｓ１０１）
印刷機及び校正用カラープリンタ２ともにデバイスカラープロファイルは上述のようにそれぞれ次の２つのルックアップテーブルから構成されるが、以下の説明ではＣＭＹＫ→Ｌ＊ａ＊ｂ＊  ＬＵＴを、上述の印刷機のＣＭＹＫ→Ｌ＊ａ＊ｂ＊  ＬＵＴ１３２及び校正用カラープリンタ２のＣＭＹＫ→Ｌ＊ａ＊ｂ＊  ＬＵＴ１３４の作成方法を説明するために用い、Ｌ＊ａ＊ｂ＊→ＣＭＹＫ  ＬＵＴを、上述の印刷機のＬ＊ａ＊ｂ＊→ＣＭＹＫ  ＬＵＴ１３３及び校正用カラープリンタ２のＬ＊ａ＊ｂ＊→ＣＭＹＫ  ＬＵＴ１３５の作成方法を説明するために用いる。
【００２９】
ここで、ＣＭＹＫ→Ｌ＊ａ＊ｂ＊  ＬＵＴは、ＣＭＹＫの組み合わせを表色系の値Ｌ＊ａ＊ｂ＊に変換するもので４色の基本色の組み合わせに各組み合わせにより出力される色のＬ＊ａ＊ｂ＊値を関連づけたもので、Ｌ＊ａ＊ｂ＊→ＣＭＹＫ  ＬＵＴは、表色系の値Ｌ＊ａ＊ｂ＊をＣＭＹＫの組み合わせに変換するもので複数のＬ＊ａ＊ｂ＊値に各Ｌ＊ａ＊ｂ＊値で示される色を出力するための４色の基本色のパラメータの組み合わせを関連づけたものである。また、Ｌ＊ａ＊ｂ＊→ＣＭＹＫ  ＬＵＴはＬ＊ａ＊ｂ＊の全色空間の中で、デバイスによるＣＭＹＫ混色の色再現可能範囲は限られるため、色再現可能範囲内にどのようにＬ＊ａ＊ｂ＊の全色空間を写像するのか写像方法を何通りか変化させ、複数個持たせて、入力デバイスの種類に応じて選択して用いるのが一般的である。
【００３０】
ＣＭＹＫ→Ｌ＊ａ＊ｂ＊  ＬＵＴは、例えば図３に示すようになり、ＣＭＹＫのＬＵＴ入力点に対しＬ＊ａ＊ｂ＊値が入る４次元入力／３次元出力であり、具体的にはＣＭＹＫの全色空間に及ぶ多数の組み合わせについてのカラーパッチを測色計で測定し、各カラーパッチのＬ＊ａ＊ｂ＊値を求めてＬＵＴにし、例えば、次のような方法で求めることができる。
【００３１】
即ち、Ｃ、Ｍ、Ｙ、Ｋそれぞれの最小値０から最大値２５５までを４分割し、０、６４、１２８、１９１、２５５の５段階をとり、Ｃ×Ｍ×Ｙ×Ｋ：５×５×５×５＝６２５点の組み合わせについてのカラーパッチを配置した図４のようなカラーチャートを印刷機または校正用カラープリンタ２で印刷し、５×５×５×５＝６２５点の各パッチを順番に測定してＬ＊ａ＊ｂ＊値を求める。
【００３２】
さらに、中央の４次元入力／３次元出力ＬＵＴは、９×９×９×９の格子点の間の点について、５×５×５×５＝６２５点の各パッチを９×９×９×９の各パッチに補間を行うことにより作成する。図５に示すように、黒丸●を格子点（サンプル点）とし、△印と×印を夫々補間すべき点とすると、△印のように前後２点ずつ格子点が存在する場合と、×印のように前後に１点及び３点ある場合とでは、異なった補間式を使用する。
【００３３】
ここで、補間すべき点の表色系をＬｍ＊，ａｍ＊，ｂｍ＊とし、各サンプル点の表色系をＬｉ＊，ａｉ＊，ｂｉ＊（ｉ＝１〜４）としたとき、前者（△印）の場合は以下のような補間式で、
Ｌｍ＊＝−（１／１６）Ｌ１＊＋（９／１６）Ｌ２＊＋（９／１６）Ｌ３＊−（１／１６）Ｌ４＊
ａｍ＊＝−（１／１６）ａ１＊＋（９／１６）ａ２＊＋（９／１６）ａ３＊−（１／１６）ａ４＊
ｂｍ＊＝−（１／１６）ｂ１＊＋（９／１６）ｂ２＊＋（９／１６）ｂ３＊−（１／１６）ｂ４＊
と補間される。
【００３４】
また、後者の場合（×印）には、例えばｉ＝１とｉ＝２の間の点については次の補間式で、
Ｌｍ＊＝（５／１６）Ｌ１＊＋（１５／１６）Ｌ２＊−（５／１６）Ｌ３＊＋（１／１６）Ｌ４＊
ａｍ＊＝（５／１６）ａ１＊＋（１５／１６）ａ２＊−（５／１６）ａ３＊＋（１／１６）ａ４＊
ｂｍ＊＝（５／１６）ｂ１＊＋（１５／１６）ｂ２＊−（５／１６）ｂ３＊＋（１／１６）ｂ４＊
と補間される。
【００３５】
図６にＣＭＹ３次元についての補間処理の順序の一例を示す。図６に示す番号▲１▼、▲２▼、▲３▼（それぞれ図６のローマ数字に対応）の順序で補間処理を行うことによってＣＭＹ５×５×５を９×９×９に補間する。更に、ＣＭＹ５×５×５の９×９×９への補間を５つのＫレベルのすべてについて行った後で、ＣＭＹ９×９×９の各点について、Ｋの５点を９点に補間する計算を図５に示す方法と同様にして行う。これによって、実際は５×５×５×５＝６２５点のパッチしか測定しないにも拘わらず、９×９×９×９＝６５６１点まで拡張してＣＭＹＫの組み合わせについてＬ＊ａ＊ｂ＊値を求めることができる。
【００３６】
一方、Ｌ＊ａ＊ｂ＊→ＣＭＹＫ  ＬＵＴは、図７に示すように３次元入力／４次元出力ＬＵＴであり、３３×３３×３３の格子点の間の点については補間を行って変換する。また、そのＬ＊ａ＊ｂ＊→ＣＭＹＫ  ＬＵＴの作成手順を図８に示す。
【００３７】
図８に示すように、上記３次元入力／４次元出力ＬＵＴを求める方法は次の各ステップＳ０１〜Ｓ０４から構成される。簡単のため、基本色をＣ、Ｍの２色として説明する。なお、Ｃ、Ｍ、Ｙ、Ｋは、いずれも０〜２５５の値をとるものとする。
【００３８】
（Ｓ０１）
前述のＣＭＹＫ→Ｌ＊ａ＊ｂ＊  ＬＵＴのＣ×Ｍ×Ｙ×Ｋ：９×９×９×９についてのＬ＊ａ＊ｂ＊値である４次元データから、Ｃ×Ｍ×Ｙ：９×９×９についてのＬ＊ａ＊ｂ＊値である３次元データへの変換を行う。このために、本出願人による特許第２８９８０３０号の明細書に記されている方法を用いることができる。例えば、ＣＭＹの最小値から求められるグレー成分を強調するためにＫが加えられるようにしてＣＭＹの最小値に基づいてＫを求め、ＣＭＹにそのＫを加えた場合についてのＬ＊ａ＊ｂ＊値を求めることにより行う。
【００３９】
Ｋは次の式によって求めることができる。ＣＭＹの最小値をｍｉｎ［Ｃ、Ｍ、Ｙ］とすると、
Ｋ＝１．６（ｍｉｎ［Ｃ、Ｍ、Ｙ］−１２８）
ただし、上記右辺が０または負になる場合は、Ｋ＝０とする。
【００４０】
また、このＫがＣＭＹに加えられたときのＬ＊ａ＊ｂ＊値は例えば次のようにして求めることができる。Ｃ＝Ｍ＝Ｙ＝１９１の場合を例にとると、
Ｋ＝１．６×（１９１−１２８）＝１０１であり、
この１０１がＣ×Ｍ×Ｙ×Ｋ：９×９×９×９のＫの９点（０、３２、６４、９６、１２８、１５９、１９１、２２３、２５５）の４つ目の９６と５つ目の１２８の間になることから、９×９×９×９点の中のＣ＝Ｍ＝Ｙ＝１９１（７点目）、Ｋ＝９６（４点目）の点のＬ＊ａ＊ｂ＊値と、Ｃ＝Ｍ＝Ｙ＝１９１（７点目）、Ｋ＝１２８（５点目）の点Ｌ＊ａ＊ｂ＊値との２つから補間して計算する。Ｃ＝Ｍ＝Ｙ＝１９１（７点目）、Ｋ＝９６（４点目）のＬ＊ａ＊ｂ＊値であるＬ１＊ａ１＊ｂ１＊についての重みｗ１を、ｗ１＝１．０−（１０１−９６）／（１２８−９６）としてＣ＝Ｍ＝Ｙ＝１９１（７点目）、Ｋ＝１２８（５点目）のＬ＊ａ＊ｂ＊値、Ｌ２＊ａ２＊ｂ２＊についての重みｗ２を、ｗ２＝（１０１−９６）／（１２８−９６）とすると、補間後のＬ＊ａ＊ｂ＊値、Ｌｍ＊ａｍ＊ｂｍ＊は、
Ｌｍ＊＝ｗ１×Ｌ１＊＋ｗ２×Ｌ２＊
ａｍ＊＝ｗ１×ａ１＊＋ｗ２×ａ２＊
ｂｍ＊＝ｗ１×ｂ１＊＋ｗ２×ｂ２＊
によって求めることができる。
【００４１】
これは、Ｃ＝Ｍ＝Ｙ＝１９１の場合であるが、これをＣ×Ｍ×Ｙ：９×９×９＝７２９点について行うことにより、Ｃ×Ｍ×Ｙ×Ｋ：９×９×９×９の４次元のデータからＣ×Ｍ×Ｙ：９×９×９の３次元のデータを作成することができる。
【００４２】
（Ｓ０２）
次に、ステップＳ０１のＣ×Ｍ×Ｙ：９×９×９の３次元データを用いて、Ｌ＊ａ＊ｂ＊→ＣＭＹＫ  ＬＵＴを計算する。図９は、ＣＭＹの内のＭとＣの２次元９×９の組み合わせ（Ｙ＝０）について、縦軸にＬ＊を横軸にａ＊をプロットしたものである。実際には３次元であるが簡単のために２次元で示す。
【００４３】
このＣＭＹの分布に対して、求めようとするターゲット点［Ｌ＊（０〜１００）ａ＊（−１２７〜１２８）ｂ＊（−１２７〜１２８）：３３×３３×３３＝３５９３７の各ＬＵＴ入力点］のＬ＊ａ＊ｂ＊が目標値Ｔ’として与えられる。目標値Ｔ’が図９に示すように格子点ａ’〜ｄ’で囲まれる領域内にあるとき、ＭＣ座標系におけるＭＣの組み合わせ（目標値Ｔ）は図１０に示すように格子点ａ〜ｄで囲まれる領域内にあるものと推定される。そして、目標値Ｔが格子点ａ〜ｄによって形成される領域のどこにあるかは、図９の表色系を図１０の座標系に対応付けながら、収束演算処理をして求める。このように収束演算処理をするのは図１０の座標系から図９の表色系への変換が既知であるにも拘らず、この逆の変換は非常に複雑で未だ良好な変換式が知られていないためである。
【００４４】
次に、図１１の格子点ａ〜ｄによって形成される領域ＳＰ０を４つの領域ＳＰ１〜ＳＰ４に等分する。５個の分割点ｅ〜ｉは、既に求められている周囲の格子点を利用して重み平均によって算出する。そして、この分割点ｅ〜ｉに対応する値をＬ＊ａ＊ｂ＊表色系に変換したときの値を図１２の表色系にプロットし、プロットされた分割点ｅ’〜ｉ’によって形成された４つの領域ＳＰ１’〜ＳＰ４’のうちどの領域に目標値Ｔ’があるかを求める。図１２に示すように領域ＳＰ２’にあるときには、図１１に示すように目標値Ｔは領域ＳＰ２’に対応した領域ＳＰ２にあるものと推定する。
【００４５】
次に、推定された領域ＳＰ２を４つの領域ＳＰ５〜ＳＰ８に等分する。５個の分割点ｊ〜ｎは既に求められている周囲の格子点又は分割点を利用して重み平均によって算出する。そして、この分割点ｊ〜ｎに対応する値をＬ＊ａ＊ｂ＊表色系に変換したときの値を図１２の表色系にプロットし、プロットされた分割点ｊ’〜ｎ’によって形成された４つの領域ＳＰ５’〜ＳＰ８’のうちどの領域に目標値Ｔ’があるかを求める。図１２に示すように領域ＳＰ８’にあるときには、図１１に示すように目標値Ｔは領域ＳＰ８’に対応した領域ＳＰ８にあるものと推定する。
【００４６】
次に、推定された領域ＳＰ８を４つの領域ＳＰ９〜ＳＰ１２に等分する。５個の分割点ｏ〜ｓは、既に求められている周囲の格子点又は分割点を利用して重み平均によって算出する。そして、この分割点ｏ〜ｓに対応する値をＬ＊ａ＊ｂ＊表色系に変換したときの値を図１２の表色系にプロットし、プロットされた分割点ｏ’〜ｓ’によって形成された４つの領域ＳＰ９’〜ＳＰ１２’のうちどの領域に目標値Ｔ’があるかを求める。図１２に示すように領域ＳＰ１０’にあるときには、図１１に示すように目標値Ｔは領域ＳＰ１０’に対応した領域ＳＰ１０にあるものと推定する。
【００４７】
以上のような領域の分割を繰り返すことによって格子は次第に小さくなり、ついには収束する。そして、収束した領域を形成する４つの格子点又は分割点を平均することによって目標値Ｔが求められ、従って求めようとする出力色を示す基本色の組み合わせを求めることができる。
【００４８】
また、本実施の形態では、上述のような収束演算による方法を記したが、本出願人による特許第２８９５０８６号の明細書に記載されているような補間方法を用いてもよい。
【００４９】
ところで、目標値Ｔ’が図１３に示すように、Ｌ＊ａ＊ｂ＊表色系の頂点Ｗ’，Ｃ’，Ｍ’，Ｂ’で形成される色再現範囲の外にあるときには、この目標値Ｔ’を色再現範囲内に移動する必要がある。この場合、目標値Ｔ’を無彩色方向に移動させ、図１４に示すように無彩色方向の直線と色再現範囲の境界との交点の座標を目標値Ｔ’とし、図１５に示すように目標値Ｔ’に対応する目標値Ｔを算出する。
【００５０】
なお、目標値Ｔ’は必ずしも境界に移動させる必要はなく、色再現範囲内に移動されればよい。また、ここでは説明のためにＣ×Ｍの２次元についての例を示したが、実際にはＣ×Ｍ×Ｙの３次元について行い、Ｌ＊ａ＊ｂ＊の３３×３３×３３点の各ＬＵＴ入力点を目標値Ｔ’として、Ｃ、Ｍ、Ｙの値を１点づつ計算する必要がある。
【００５１】
（Ｓ０３）
Ｓ０２で求めたＬ＊ａ＊ｂ＊の３３×３３×３３点についてのＣ、Ｍ、Ｙは、Ｓ０１で求めたＣ×Ｍ×Ｙ：９×９×９の３次元のデータに対応するＣＭＹであり、第１ステップと同じ方法でＣＭＹからＫを求める。
Ｋ＝１．６（ｍｉｎ［Ｃ、Ｍ、Ｙ］−１２８）
ただし、上記右辺が０または負になる場合は、Ｋ＝０とする。
【００５２】
（Ｓ０４）
上述のようにして求められたＬ＊ａ＊ｂ＊の３３×３３×３３点の各ＬＵＴ入力点についてのＣＭＹＫ値をＬＵＴ化する。
【００５３】
上述のようにして印刷機及び校正用カラープリンタ２それぞれについてのＣＭＹＫ→Ｌ＊ａ＊ｂ＊  ＬＵＴ及びＬ＊ａ＊ｂ＊→ＣＭＹＫ  ＬＵＴを作成して、印刷機のＣＭＹＫ→Ｌ＊ａ＊ｂ＊  ＬＵＴ１３２、印刷機のＬ＊ａ＊ｂ＊→ＣＭＹＫ  ＬＵＴ１３３、校正用カラープリンタ２のＣＭＹＫ→Ｌ＊ａ＊ｂ＊  ＬＵＴ１３４、及び、校正用カラープリンタ２のＬ＊ａ＊ｂ＊→ＣＭＹＫ  ＬＵＴ１３５としてＬＵＴ記憶部に格納する。
【００５４】
（Ｓ１０２）
次に、上述のデバイスリンクカラープロファイルの内容と作成方法を説明する。
【００５５】
デバイスリンクカラープロファイルは、例えば図１６に示すようなＣ×Ｍ×Ｙ×Ｋ：２１×２１×２１×２１＝１９４４８１のＬＵＴ入力点に対してＣＭＹＫ値が入る４次元入力／４次元出力ＬＵＴであり、印刷機及び校正用カラープリンタ２のデバイスカラープロファイルを用いて例えば図１７に示すフローチャートに示す手順のようにして作成する。
【００５６】
（Ｓ３１）
まず、以下に説明するように、印刷機のデバイスカラープロファイル（ＣＭＹＫ→Ｌ＊ａ＊ｂ＊  ＬＵＴ１３２）におけるＫ＝Ｙ＝０でＣ、Ｍのそれぞれが０から２５５（最大値）のＣＭＹＫの組み合わせに対応するＬ＊ａ＊ｂ＊値、Ｋ＝Ｍ＝０でＣ、Ｙのそれぞれが０から２５５のＣＭＹＫの組み合わせに対応するＬ＊ａ＊ｂ＊値、及び、Ｋ＝Ｃ＝０でＭ、Ｙのそれぞれが０から２５５のＣＭＹＫの組み合わせに対応するＬ＊ａ＊ｂ＊値のそれぞれについて、それぞれ校正用カラープリンタ２のデバイスカラープロファイル（ＣＭＹＫ→Ｌ＊ａ＊ｂ＊  ＬＵＴ１３４）においてＫ及びＹのパラメータが０でＣ、Ｍのそれぞれのパラメータを０から２５５まで変化させたときにＬ＊ａ＊ｂ＊座標空間に形成される面、Ｋ及びＭのパラメータが０でＣ、Ｙのそれぞれのパラメータを０から２５５まで変化させたときにＬ＊ａ＊ｂ＊座標空間に形成される面、及び、Ｋ及びＣのパラメータが０でＭ、Ｙのそれぞれのパラメータを０から２５５まで変化させたときにＬ＊ａ＊ｂ＊座標空間に形成される面の面上のＬ＊ａ＊ｂ＊値に写像する。
【００５７】
図１８は、印刷機の写像の対象となるＬ＊ａ＊ｂ＊値を説明するためのもので、印刷機のＣＭＹＫ→Ｌ＊ａ＊ｂ＊  ＬＵＴ１３２におけるＫ＝Ｙ＝０でＣ、Ｍそれぞれが０から２５５のＣＭＹＫの組み合わせに対応するＬ＊ａ＊ｂ＊値、Ｋ＝Ｍ＝０でＣ、Ｙそれぞれが０から２５５のＣＭＹＫの組み合わせに対応するＬ＊ａ＊ｂ＊値、及び、Ｋ＝Ｃ＝０でＭ、Ｙそれぞれが０から２５５のＣＭＹＫの組み合わせに対応するＬ＊ａ＊ｂ＊値をＬ＊ａ＊ｂ＊座標空間に示すものであるが、各Ｌ＊ａ＊ｂ＊値を記入すると煩雑になるため各Ｌ＊ａ＊ｂ＊値を領域で示すと共に、Ｌ＊ａ＊ｂ＊座標空間をＬ＊軸方向から見た図であり、横方向がａ＊軸、縦方向がｂ＊軸である。また、Ｗ１はＣ＝Ｍ＝Ｙ＝Ｋ＝０（白地）のＬ＊ａ＊ｂ＊値を示し、Ｙｍ１はＣ＝Ｍ＝Ｋ＝０、Ｙ＝２５５のＬ＊ａ＊ｂ＊値を示し、Ｒｍ１はＣ＝Ｋ＝０、Ｍ＝Ｙ＝２５５（赤色）のＬ＊ａ＊ｂ＊値を示し、Ｍｍ１はＣ＝Ｙ＝Ｋ＝０、Ｍ＝２５５のＬ＊ａ＊ｂ＊値を示し、Ｂｍ１はＹ＝Ｋ＝０、Ｍ＝Ｃ＝２５５（青色）のＬ＊ａ＊ｂ＊値を示し、Ｃｍ１はＭ＝Ｙ＝Ｋ＝０、Ｃ＝２５５のＬ＊ａ＊ｂ＊値を示し、Ｇｍ１はＭ＝Ｋ＝０、Ｙ＝Ｃ＝２５５（緑色）のＬ＊ａ＊ｂ＊値を示す。例えば、Ｋ＝Ｙ＝０でＣ、Ｍそれぞれが０から２５５のＣＭＹＫの組み合わせに対応するＬ＊ａ＊ｂ＊値は、図１８の、Ｍ＝０でＣを変化させたＬ＊ａ＊ｂ＊値により形成される線分Ｗ１Ｃｍ１、Ｃ＝０でＭを変化させたＬ＊ａ＊ｂ＊値により形成される線分Ｗ１Ｍｍ１、Ｍ＝２５５でＣを変化させたＬ＊ａ＊ｂ＊値により形成される線分Ｍｍ１Ｂｍ１、Ｃ＝２５５でＭを変化させたＬ＊ａ＊ｂ＊値により形成される線分Ｃｍ１Ｂｍ１により囲まれる面Ｗ１Ｃｍ１Ｂｍ１Ｍｍ１内にある。同様に、Ｋ＝Ｍ＝０でＣ、Ｙのそれぞれが０から２５５のＣＭＹＫの組み合わせに対応するＬ＊ａ＊ｂ＊値は、図１８の面Ｗ１Ｙｍ１Ｇｍ１Ｃｍ１、Ｋ＝Ｃ＝０でＹ、Ｍそれぞれが０から２５５のＣＭＹＫの組み合わせに対応するＬ＊ａ＊ｂ＊値は、図１８の面Ｗ１Ｍｍ１Ｒｍ１Ｙｍ１内にある。
【００５８】
図１９は、印刷機のＬ＊ａ＊ｂ＊値を写像する校正用カラープリンタ２のＬ＊ａ＊ｂ＊値を説明するためのもので、図１８に加えて校正用カラープリンタ２のＣＭＹＫ→Ｌ＊ａ＊ｂ＊  ＬＵＴ１３２においてＫ＝Ｙ＝０でＣ、Ｍそれぞれを０から２５５まで変化させたときにＬ＊ａ＊ｂ＊座標空間に形成される面、Ｋ＝Ｍ＝０でＣ、Ｙそれぞれを０から２５５まで変化させたときにＬ＊ａ＊ｂ＊座標空間に形成される面、及び、Ｋ＝Ｃ＝０でＭ、Ｙそれぞれを０から２５５まで変化させたときにＬ＊ａ＊ｂ＊座標空間に形成される面を示すもので、校正用カラープリンタ２について■で示し、Ｗ２、Ｙｍ２、Ｒｍ２、Ｍｍ２、Ｂｍ２、Ｃｍ２及びＧｍ２として示し、各面を面Ｗ２Ｃｍ２Ｂｍ２Ｍｍ２、面Ｗ２Ｙｍ２Ｇｍ２Ｃｍ２、面Ｗ２Ｍｍ２Ｒｍ２Ｙｍ２として示す。
【００５９】
つまり、このＳ３１の初めに述べた写像は、印刷機のＣＭＹＫ→Ｌ＊ａ＊ｂ＊ＬＵＴ１３２におけるＫ＝Ｙ＝０でＣ、Ｍそれぞれが０から２５５のＣＭＹＫの組み合わせに対応するＬ＊ａ＊ｂ＊値については、面Ｗ２Ｃｍ２Ｂｍ２Ｍｍ２上のＬ＊ａ＊ｂ＊値に写像し、Ｋ＝Ｍ＝０でＣ、Ｙそれぞれが０から２５５のＣＭＹＫの組み合わせに対応するＬ＊ａ＊ｂ＊値については、面Ｗ２Ｙｍ２Ｇｍ２Ｃｍ２上のＬ＊ａ＊ｂ＊値に写像し、Ｋ＝Ｃ＝０でＭ、Ｙそれぞれが０から２５５のＣＭＹＫの組み合わせに対応するＬ＊ａ＊ｂ＊値については、面Ｗ２Ｍｍ２Ｒｍ２Ｙｍ２上のＬ＊ａ＊ｂ＊値に写像するものである。
【００６０】
さらに写像の詳細な手順を説明する。まず、Ｃ、Ｍ、Ｙ単色部のａ＊ｂ＊値を移動するのであるが、Ｃ単色部を例に説明する（Ｍ、Ｙについても同様に行う）。印刷機及び校正用カラープリンタ２のデバイスカラープロファイルのＣＭＹＫ→Ｌ＊ａ＊ｂ＊  ＬＵＴ１３２及び１３４から、Ｃ単色（３２、６４、９６、１２８、１５９、１９１、２２３、２５５）についてＬ＊ａ＊ｂ＊値を求め、次の式によりａ＊ｂ＊をＣ＊（彩度）とｈａｂ（色相）に変換する。
Ｃ＊＝（ａ＊２＋ｂ＊２）０．５
ｈａｂ＝Ａｒｃｔａｎ（ａ＊／ｂ＊）／π×１８０
ただし、上記右辺が負になる場合には、ｈａｂ＝Ａｒｃｔａｎ（ａ＊／ｂ＊）／π×１８０＋３６０とする。
【００６１】
ここで、Ｃ単色９段（０、３２、６４、９６、１２８、１５９、１９１、２２３、２５５）のＬ＊ａ＊ｂ＊座標空間をＬ＊軸方向から見たａ＊ｂ＊平面にプロットすると図２０のようになり、Ｃ＊を横軸にしてＬ＊をプロットすると図２１のようになる。
【００６２】
そして、図２２に示すように印刷機のＣ単色の色相を校正用カラープリンタ２のＣ単色の色相に一致させるように、校正用カラープリンタ２のＣ単色のａ＊ｂ＊値が構成する線分Ｗ２Ｃｍ２上となるように移動する。これにより、後で作成するＣＭＹＫ→ＣＭＹＫ  ＬＵＴ１３６による変換においてＣ単色がＣ単色として変換されることになる。また、この色相の移動の際、彩度方向は、印刷機のＣ＝２５５の彩度が校正用カラープリンタ２のＣ＝２５５の彩度に一致するように移動し、Ｃ＝２５５以外のＬ＊ａ＊ｂ＊値については、トーンジャンプ等を発生しないように彩度方向に移動する。本実施の形態では、図２２に示すようにＣ＊＝５０を境界として、Ｃ＊＝５０以下の場合は彩度方向への移動は行わず、Ｃ＊が５０を越えるものについては、Ｃ＝２５５における彩度方向の移動による変化量を最大としＣ＝５０で０となるような変化量でもって彩度方向の移動を行う。これにより、後で作成するＣＭＹＫ→ＣＭＹＫ  ＬＵＴ１３６による変換においてＣ単色ベタ（Ｃ＝２５５）がＣ単色ベタとして変換されることになる。また、本実施の形態においてはこのＣ単色の移動によるトーンジャンプや階調のつぶれが生じないようにＣ単色周辺のＬ＊ａ＊ｂ＊値の移動を行う。例えば、図２３に示すように色相についての上限及び下限を、図２４について明度の下限を予め定めておき、色相の上限及び下限の間及び明度が下限以上となるＬ＊ａ＊ｂ＊値について色相及び彩度をＣ単色における移動による変化量が最大で色相の上限及び下限の間及び明度の下限で色相及び彩度の変化量が０となるように移動する。この上限、下限の定め方や変化量の変化のさせ方は、トーンジャンプや階調のつぶれが生じないように決定すれば良い。
【００６３】
次に、次の式により移動後の彩度Ｃ＊と移動後の色相ｈａｂとから、移動後のａ＊ｂ＊を、
ａ＊＝ｃｏｓ（ｈａｂ／１８０×π）×Ｃ＊
ｂ＊＝ｓｉｎ（ｈａｂ／１８０×π）×Ｃ＊
により求める。
【００６４】
次に、Ｂｍ１（Ｋ＝Ｙ＝０でＣ＝Ｍ＝２５５）、Ｒｍ１（Ｋ＝Ｃ＝０でＭ＝Ｙ＝２５５）、Ｇｍ１（Ｋ＝Ｍ＝０でＣ＝Ｙ＝２５５）のａ＊ｂ＊値を移動するのであるが、Ｂｍ１を例に説明する（Ｒｍ１、Ｇｍ１についても同様に行う）。印刷機及び校正用カラープリンタ２のデバイスカラープロファイルのＣＭＹＫ→Ｌ＊ａ＊ｂ＊  ＬＵＴ１３２及び１３４から、Ｂｍ１、Ｂｍ２についてＬ＊ａ＊ｂ＊値を求め、上述の式によりＣ＊（彩度）とｈａｂ（色相）を求める。
【００６５】
そして、印刷機のＢｍ１のａ＊ｂ＊値を校正用カラープリンタ２のＢｍ２のａ＊ｂ＊値と一致するように色相及び彩度を移動する。これにより、後で作成するＣＭＹＫ→ＣＭＹＫ  ＬＵＴ１３６による変換においてＣ、Ｍの２色ベタであるＢｍ（Ｋ＝Ｙ＝０でＣ＝Ｍ＝２５５）がＣ、Ｍの２色ベタとして変換されることになる。また、本実施の形態においてはこのＢｍ１の移動によるトーンジャンプや階調のつぶれが生じないようにＢｍ１の周辺のＬ＊ａ＊ｂ＊値の移動を行う。これは、Ｃ単色で図２３及び図２４を用いて説明したようにＢｍ１の周辺で色相の上限及び下限の間及び明度の下限を定めておき、さらに彩度の下限を定めておき、色相が上限及び下限の間及び明度が下限以上で彩度が下限以上となるＬ＊ａ＊ｂ＊値について、色相及び彩度の移動量がＢｍ１において最大となり色相の上限及び下限、明度の下限及び彩度の下限において０となるように移動する。この上限、下限の定め方や変化量の変化のさせ方は、トーンジャンプや階調のつぶれが生じないように決定すれば良い。
【００６６】
次に、上述の式により移動後の彩度Ｃ＊と移動後の色相ｈａｂとから、移動後のａ＊ｂ＊を求める。
【００６７】
さらに次ぎに、明度の移動を行う。明度の移動は、印刷機のＣＭＹＫ→Ｌ＊ａ＊ｂ＊  ＬＵＴ１３２におけるＫ＝Ｙ＝０でＣ、Ｍを変化させたＣＭＹＫの組み合わせに対応するＬ＊ａ＊ｂ＊値、Ｋ＝Ｍ＝０でＣ、Ｙを変化させたＣＭＹＫの組み合わせに対応するＬ＊ａ＊ｂ＊値、及び、Ｋ＝Ｃ＝０でＭ、Ｙを変化させたＣＭＹＫの組み合わせに対応するＬ＊ａ＊ｂ＊値について行い、ただし上述の移動を行ったＬ＊ａ＊ｂ＊値については移動後のＬ＊ａ＊ｂ＊値を用いて行う。
【００６８】
例えばここで、Ｌ＊値の移動の対象となるＬ＊ａ＊ｂ＊値をＬｓ＊ａｓ＊ｂｓ＊とすると、ａ＊値ａｓ＊がｂ＊値ｂｓ＊である面Ｗ２Ｃｍ２Ｂｍ２Ｍｍ２、面Ｗ２Ｙｍ２Ｇｍ２Ｃｍ２、または、面Ｗ２Ｍｍ２Ｒｍ２Ｙｍ２上のＬ＊値を求め、そのＬ＊値をＬｓ′とすれば、Ｌｓ＊ａｓ＊ｂｓ＊をＬｓ′ａｓ＊ｂｓ＊に移動する。これにより、後で作成するＣＭＹＫ→ＣＭＹＫ  ＬＵＴ１３６による変換においてＣ、Ｍの２色であるがＣ、Ｍの２色として変換され、他の色の網点が混じることがない。
【００６９】
また、本実施の形態においてはこの明度の移動によるトーンジャンプや階調のつぶれが生じないように他のＬ＊ａ＊ｂ＊値について次のようなＬ＊値の移動を行う。図２５は、色相及び彩度の移動後のＣ単色のＬ＊値を横軸にＣ＊を用いて示した。Ｃ単色のＬ＊値は、そのａ＊ｂ＊値をＬ＊方向に移動させたときの線分Ｗ２Ｃｍ２との交点のＬ値がＬｓ′となるが、図２５に示すような明度の下限を予め定めておき、明度が下限以上となるＬ＊ａ＊ｂ＊値についてのＬ＊値を、上述の移動によるＬ＊値の変化量が線分Ｗ１Ｃｍ１の線上で最大で明度の下限で０となるように移動する。この下限は、例えば図１８に示した面Ｗ１Ｃｍ１Ｂｍ１Ｍｍ１、面Ｗ１Ｙｍ１Ｇｍ１Ｃｍ１、及び、面Ｗ１Ｍｍ１Ｒｍ１Ｙｍ１と平行にＬ＊方向に設けることができる。また、この下限の定め方や変化量の変化のさせ方は、トーンジャンプや階調のつぶれが生じないように決定すれば良い。
【００７０】
また、ａ＊値ａｓ＊とｂ＊値ｂｓ＊が、面Ｗ２Ｃｍ２Ｂｍ２Ｍｍ２、面Ｗ２Ｙｍ２Ｇｍ２Ｃｍ２、または、面Ｗ２Ｍｍ２Ｒｍ２Ｙｍ２の範囲外となる場合があるが、このような場合には、ａｓ＊ｂｓ＊の値の示す色相を変えずに無彩色方向に移動し面Ｗ２Ｃｍ２Ｂｍ２Ｍｍ２、面Ｗ２Ｙｍ２Ｇｍ２Ｃｍ２、または、面Ｗ２Ｍｍ２Ｒｍ２Ｙｍ２の範囲内へ移動すればよい。このとき、周囲のＬ＊ａ＊ｂ＊値をトーンジャンプや階調のつぶれが生じないように移動してよい。
【００７１】
このような移動を行い、最終的に求めたＬ＊ａ＊ｂ＊値を印刷機のＣＭＹＫ→Ｌ＊ａ＊ｂ＊  ＬＵＴ１３２のＣＭＹＫの組み合わせに対応するＬ＊ａ＊ｂ＊値と置き換えることにより、印刷機のＣＭＹＫ→Ｌ＊ａ＊ｂ＊  ＬＵＴ１３２におけるＫ＝Ｙ＝０でＣ、Ｍを変化させたＣＭＹＫの組み合わせに対応するＬ＊ａ＊ｂ＊値についての、面Ｗ２Ｃｍ２Ｂｍ２Ｍｍ２上のＬ＊ａ＊ｂ＊値への写像、Ｋ＝Ｍ＝０でＣ、Ｙを変化させたＣＭＹＫの組み合わせに対応するＬ＊ａ＊ｂ＊値についての、面Ｗ２Ｙｍ２Ｇｍ２Ｃｍ２上のＬ＊ａ＊ｂ＊値への写像、Ｋ＝Ｃ＝０でＭ、Ｙを変化させたＣＭＹＫの組み合わせに対応するＬ＊ａ＊ｂ＊値についての、面Ｗ２Ｍｍ２Ｒｍ２Ｙｍ２上のＬ＊ａ＊ｂ＊値への写像が行われる。
【００７２】
（Ｓ３２）
次に、Ｓ３１でＬ＊ａ＊ｂ＊値の写像を行った印刷機のＣＭＹＫ→Ｌ＊ａ＊ｂ＊  ＬＵＴ１３２と校正用カラープリンタ２のＬ＊ａ＊ｂ＊→ＣＭＹＫ  ＬＵＴ１３５とを用いて、図１６に示すようなＣ、Ｍ、Ｙ、Ｋそれぞれ、０〜２５５を２０等分した２１点の組み合わせの、Ｃ×Ｍ×Ｙ×Ｋ：２１×２１×２１×２１＝１９４４８１点を入力点として、各点について校正用カラープリンタ２に出力させるＣＭＹＫ値が出力値として入った例えば４次元入力／４次元出力のＣＭＹＫ→ＣＭＹＫ  ＬＵＴ１３６を計算する。
【００７３】
Ｃ×Ｍ×Ｙ×Ｋ：２１×２１×２１×２１＝１９４４８１点の入力点の１点１点について図２６に示す手順により計算する。
【００７４】
（Ｓ１１）
先ず、Ｓ３２でＬ＊ａ＊ｂ＊値の写像を行った印刷機のＣＭＹＫ→Ｌ＊ａ＊ｂ＊  ＬＵＴ１３２を用いてＬ＊ａ＊ｂ＊を求める。Ｃ＝２５．５（０〜２０で２）、Ｍ＝５１（０〜２０で４）、Ｙ＝１９１．２５（０〜２０で１５）、Ｋ＝７６．５（０〜２０で６）の点を例にとると、ＣＭＹＫ：９×９×９×９→Ｌ＊ａ＊ｂ＊ＬＵＴのＣＭＹＫ：９×９×９×９内の入力点と、ＣＭＹＫそれぞれの入力点への距離は、
Ｃ：２５．５／２５５×８＝０．８なので、Ｃの１つ目の点Ｃ１とＣ１への距離ＤＣ１と、Ｃの２つ目の点Ｃ２とＣ２への距離ＤＣ２は、Ｃ１＝０、ＤＣ１＝０．８、Ｃ２＝１、ＤＣ２＝０．２
Ｍ：５１／２５５×８＝１．６なので、Ｍの１つ目の点Ｍ１とＭ１への距離ＤＭ１と、Ｍの２つ目の点Ｍ２とＭ２への距離ＤＭ２は、Ｍ１＝１、ＤＭ１＝０．６、Ｍ２＝２、ＤＭ２＝０．４
Ｙ：１９１．２５／２５５×８＝６なので、Ｙの１つ目の点Ｙ１とＹ１への距離ＤＹ１と、Ｙの２つ目の点Ｙ２とＹ２への距離ＤＹ２は、Ｙ１＝６、ＤＹ１＝０．０、Ｙ２＝７、ＤＹ２＝１．０
Ｋ：７６．５／２５５×８＝２．４なので、Ｋの１つ目の点Ｋ１とＫ１への距離ＤＫ１と、Ｋの２つ目の点Ｋ２とＫ２への距離ＤＫ２は、Ｋ１＝２、ＤＫ１＝０．４、Ｋ２＝３、ＤＫ２＝０．６となる。
【００７５】
また、Ｓ３２でＬ＊ａ＊ｂ＊値の写像を行った印刷機のＣＭＹＫ→Ｌ＊ａ＊ｂ＊ＬＵＴ１３２からのＣ２点（Ｃ１、Ｃ２）×Ｍ２点（Ｍ１、Ｍ２）×Ｙ２点（Ｙ１、Ｙ２）×Ｋ２点（Ｋ１、Ｋ２）＝１６点についてのＬ＊ａ＊ｂ＊表色系の値を、
Ｌｃ１ｍ１ｙ１ｋ１＊，Ｌｃ１ｍ１ｙ１ｋ２＊，Ｌｃ１ｍ１ｙ２ｋ１＊，
Ｌｃ１ｍ１ｙ２ｋ２＊，Ｌｃ１ｍ２ｙ１ｋ１＊，
Ｌｃ１ｍ２ｙ１ｋ２＊，Ｌｃ１ｍ２ｙ２ｋ１＊，Ｌｃ１ｍ２ｙ２ｋ２＊，
Ｌｃ２ｍ１ｙ１ｋ１＊，Ｌｃ２ｍ１ｙ１ｋ２＊，Ｌｃ２ｍ１ｙ２ｋ１＊，
Ｌｃ２ｍ１ｙ２ｋ２＊，Ｌｃ２ｍ２ｙ１ｋ１＊，
Ｌｃ２ｍ２ｙ１ｋ２＊，Ｌｃ２ｍ２ｙ２ｋ１＊，Ｌｃ２ｍ２ｙ２ｋ２＊，
ａｃ１ｍ１ｙ１ｋ１＊，ａｃ１ｍ１ｙ１ｋ２＊，ａｃ１ｍ１ｙ２ｋ１＊，
ａｃ１ｍ１ｙ２ｋ２＊，ａｃ１ｍ２ｙ１ｋ１＊，
ａｃ１ｍ２ｙ１ｋ２＊，ａｃ１ｍ２ｙ２ｋ１＊，ａｃ１ｍ２ｙ２ｋ２＊，
ａｃ２ｍ１ｙ１ｋ１＊，ａｃ２ｍ１ｙ１ｋ２＊，ａｃ２ｍ１ｙ２ｋ１＊，
ａｃ２ｍ１ｙ２ｋ２＊，ａｃ２ｍ２ｙ１ｋ１＊，
ａｃ２ｍ２ｙ１ｋ２＊，ａｃ２ｍ２ｙ２ｋ１＊，ａｃ２ｍ２ｙ２ｋ２＊，
ｂｃ１ｍ１ｙ１ｋ１＊，ｂｃ１ｍ１ｙ１ｋ２＊，ｂｃ１ｍ１ｙ２ｋ１＊，
ｂｃ１ｍ１ｙ２ｋ２＊，ｂｃ１ｍ２ｙ１ｋ１＊，
ｂｃ１ｍ２ｙ１ｋ２＊，ｂｃ１ｍ２ｙ２ｋ１＊，ｂｃ１ｍ２ｙ２ｋ２＊，
ｂｃ２ｍ１ｙ１ｋ１＊，ｂｃ２ｍ１ｙ１ｋ２＊，ｂｃ２ｍ１ｙ２ｋ１＊，
ｂｃ２ｍ１ｙ２ｋ２＊，ｂｃ２ｍ２ｙ１ｋ１＊，
ｂｃ２ｍ２ｙ１ｋ２＊，ｂｃ２ｍ２ｙ２ｋ１＊，ｂｃ２ｍ２ｙ２ｋ２＊
とすると、Ｃ＝２５．５（０〜２０で２）、Ｍ＝５１（０〜２０で４）、Ｙ＝１９１．２５（０〜２０で１５）、Ｋ＝７６．５（０〜２０で６）についてのＬ＊ａ＊ｂ＊表色系の値は次式によって求められる。
【００７６】
Ｌ＊＝ＤＣ２×ＤＭ２×ＤＹ２×ＤＫ２×Ｌｃ１ｍ１ｙ１ｋ１＊
＋ＤＣ２×ＤＭ２×ＤＹ２×ＤＫ１×Ｌｃ１ｍ１ｙ１ｋ２＊
＋ＤＣ２×ＤＭ２×ＤＹ１×ＤＫ２×Ｌｃ１ｍ１ｙ２ｋ１＊
＋ＤＣ２×ＤＭ２×ＤＹ１×ＤＫ１×Ｌｃ１ｍ１ｙ２ｋ２＊
＋ＤＣ２×ＤＭ１×ＤＹ２×ＤＫ２×Ｌｃ１ｍ２ｙ１ｋ１＊
＋ＤＣ２×ＤＭ１×ＤＹ２×ＤＫ１×Ｌｃ１ｍ２ｙ１ｋ２＊
＋ＤＣ２×ＤＭ１×ＤＹ１×ＤＫ２×Ｌｃ１ｍ２ｙ２ｋ１＊
＋ＤＣ２×ＤＭ１×ＤＹ１×ＤＫ１×Ｌｃ１ｍ２ｙ２ｋ２＊
＋ＤＣ１×ＤＭ２×ＤＹ２×ＤＫ２×Ｌｃ２ｍ１ｙ１ｋ１＊
＋ＤＣ１×ＤＭ２×ＤＹ２×ＤＫ１×Ｌｃ２ｍ１ｙ１ｋ２＊
＋ＤＣ１×ＤＭ２×ＤＹ１×ＤＫ２×Ｌｃ２ｍ１ｙ２ｋ１＊
＋ＤＣ１×ＤＭ２×ＤＹ１×ＤＫ１×Ｌｃ２ｍ１ｙ２ｋ２＊
＋ＤＣ１×ＤＭ１×ＤＹ２×ＤＫ２×Ｌｃ２ｍ２ｙ１ｋ１＊
＋ＤＣ１×ＤＭ１×ＤＹ２×ＤＫ１×Ｌｃ２ｍ２ｙ１ｋ２＊
＋ＤＣ１×ＤＭ１×ＤＹ１×ＤＫ２×Ｌｃ２ｍ２ｙ２ｋ１＊
＋ＤＣ１×ＤＭ１×ＤＹ１×ＤＫ１×Ｌｃ２ｍ２ｙ２ｋ２＊
ａ＊＝ＤＣ２×ＤＭ２×ＤＹ２×ＤＫ２×ａｃ１ｍ１ｙ１ｋ１＊
＋ＤＣ２×ＤＭ２×ＤＹ２×ＤＫ１×ａｃ１ｍ１ｙ１ｋ２＊
＋ＤＣ２×ＤＭ２×ＤＹ１×ＤＫ２×ａｃ１ｍ１ｙ２ｋ１＊
＋ＤＣ２×ＤＭ２×ＤＹ１×ＤＫ１×ａｃ１ｍ１ｙ２ｋ２＊
＋ＤＣ２×ＤＭ１×ＤＹ２×ＤＫ２×ａｃ１ｍ２ｙ１ｋ１＊
＋ＤＣ２×ＤＭ１×ＤＹ２×ＤＫ１×ａｃ１ｍ２ｙ１ｋ２＊
＋ＤＣ２×ＤＭ１×ＤＹ１×ＤＫ２×ａｃ１ｍ２ｙ２ｋ１＊
＋ＤＣ２×ＤＭ１×ＤＹ１×ＤＫ１×ａｃ１ｍ２ｙ２ｋ２＊
＋ＤＣ１×ＤＭ２×ＤＹ２×ＤＫ２×ａｃ２ｍ１ｙ１ｋ１＊
＋ＤＣ１×ＤＭ２×ＤＹ２×ＤＫ１×ａｃ２ｍ１ｙ１ｋ２＊
＋ＤＣ１×ＤＭ２×ＤＹ１×ＤＫ２×ａｃ２ｍ１ｙ２ｋ１＊
＋ＤＣ１×ＤＭ２×ＤＹ１×ＤＫ１×ａｃ２ｍ１ｙ２ｋ２＊
＋ＤＣ１×ＤＭ１×ＤＹ２×ＤＫ２×ａｃ２ｍ２ｙ１ｋ１＊
＋ＤＣ１×ＤＭ１×ＤＹ２×ＤＫ１×ａｃ２ｍ２ｙ１ｋ２＊
＋ＤＣ１×ＤＭ１×ＤＹ１×ＤＫ２×ａｃ２ｍ２ｙ２ｋ１＊
＋ＤＣ１×ＤＭ１×ＤＹ１×ＤＫ１×ａｃ２ｍ２ｙ２ｋ２＊
ｂ＊＝ＤＣ２×ＤＭ２×ＤＹ２×ＤＫ２×ｂｃ１ｍ１ｙ１ｋ１＊
＋ＤＣ２×ＤＭ２×ＤＹ２×ＤＫ１×ｂｃ１ｍ１ｙ１ｋ２＊
＋ＤＣ２×ＤＭ２×ＤＹ１×ＤＫ２×ｂｃ１ｍ１ｙ２ｋ１＊
＋ＤＣ２×ＤＭ２×ＤＹ１×ＤＫ１×ｂｃ１ｍ１ｙ２ｋ２＊
＋ＤＣ２×ＤＭ１×ＤＹ２×ＤＫ２×ｂｃ１ｍ２ｙ１ｋ１＊
＋ＤＣ２×ＤＭ１×ＤＹ２×ＤＫ１×ｂｃ１ｍ２ｙ１ｋ２＊
＋ＤＣ２×ＤＭ１×ＤＹ１×ＤＫ２×ｂｃ１ｍ２ｙ２ｋ１＊
＋ＤＣ２×ＤＭ１×ＤＹ１×ＤＫ１×ｂｃ１ｍ２ｙ２ｋ２＊
＋ＤＣ１×ＤＭ２×ＤＹ２×ＤＫ２×ｂｃ２ｍ１ｙ１ｋ１＊
＋ＤＣ１×ＤＭ２×ＤＹ２×ＤＫ１×ｂｃ２ｍ１ｙ１ｋ２＊
＋ＤＣ１×ＤＭ２×ＤＹ１×ＤＫ２×ｂｃ２ｍ１ｙ２ｋ１＊
＋ＤＣ１×ＤＭ２×ＤＹ１×ＤＫ１×ｂｃ２ｍ１ｙ２ｋ２＊
＋ＤＣ１×ＤＭ１×ＤＹ２×ＤＫ２×ｂｃ２ｍ２ｙ１ｋ１＊
＋ＤＣ１×ＤＭ１×ＤＹ２×ＤＫ１×ｂｃ２ｍ２ｙ１ｋ２＊
＋ＤＣ１×ＤＭ１×ＤＹ１×ＤＫ２×ｂｃ２ｍ２ｙ２ｋ１＊
＋ＤＣ１×ＤＭ１×ＤＹ１×ＤＫ１×ｂｃ２ｍ２ｙ２ｋ２＊
となる。
【００７７】
（Ｓ１２）
次に、ステップＳ１１で求めたＬ＊ａ＊ｂ＊表色系の値から、校正用カラープリンタ２のＬ＊ａ＊ｂ＊→ＣＭＹＫ  ＬＵＴ１３５を用いて、ＣＭＹＫを求める。例えば、ステップ１１で求めたＬ＊ａ＊ｂ＊表色系の値をＬ＊＝５７．０、ａ＊＝５．３、ｂ＊＝３５．６とすると、Ｌ＊ａ＊ｂ＊：３３×３３×３３→ＣＭＹＫ  ＬＵＴのＬ＊ａ＊ｂ＊：３３×３３×３３内の入力点と、Ｌ＊ａ＊ｂ＊それぞれの入力点への距離は、
Ｌ＊：５７．０／１００×３２＝１８．２なので、Ｌ＊の１つ目の点Ｌ１とＬ１への距離ＤＬ１と、Ｌの２つ目の点Ｌ２とＬ２への距離ＤＬ２は、Ｌ１＝１８、ＤＬ１＝０．２、Ｌ２＝１９、ＤＬ２＝０．８
ａ＊：（５．３＋１２７）／２５５×３２＝１６．６なので、ａ＊の１つ目の点ａ１とａ１への距離Ｄａ１と、ａの２つ目の点ａ２とａ２への距離Ｄａ２は、ａ１＝１６、Ｄａ１＝０．６、ａ２＝１７、Ｄａ２＝０．４
ｂ＊：（３５．６＋１２７）／２５５×３２＝２０．４なので、ｂ＊の１つ目の点ｂ１とｂ１への距離Ｄｂ１と、ｂの２つ目の点ｂ２とｂ２への距離Ｄｂ２は、ｂ１＝２０、Ｄｂ１＝０．４、ｂ２＝２１、Ｄｂ２＝０．６
となる。
【００７８】
Ｌ＊ａ＊ｂ＊：３３×３３×３３→ＣＭＹＫ  ＬＵＴからのＬ＊２点（Ｌ１、Ｌ２）×ａ＊２点（ａ１、ａ２）×ｂ＊２点（ｂ１、ｂ２）＝８点についてのＣＭＹＫ値を、
ＣＬ１ａ１ｂ１，ＣＬ１ａ１ｂ２，ＣＬ１ａ２ｂ１，ＣＬ１ａ２ｂ２，
ＣＬ２ａ１ｂ１，ＣＬ２ａ１ｂ２，ＣＬ２ａ２ｂ１，ＣＬ２ａ２ｂ２，
ＭＬ１ａ１ｂ１，ＭＬ１ａ１ｂ２，ＭＬ１ａ２ｂ１，ＭＬ１ａ２ｂ２，
ＭＬ２ａ１ｂ１，ＭＬ２ａ１ｂ２，ＭＬ２ａ２ｂ１，ＭＬ２ａ２ｂ２，
ＹＬ１ａ１ｂ１，ＹＬ１ａ１ｂ２，ＹＬ１ａ２ｂ１，ＹＬ１ａ２ｂ２，
ＹＬ２ａ１ｂ１，ＹＬ２ａ１ｂ２，ＹＬ２ａ２ｂ１，ＹＬ２ａ２ｂ２，
ＫＬ１ａ１ｂ１，ＫＬ１ａ１ｂ２，ＫＬ１ａ２ｂ１，ＫＬ１ａ２ｂ２，
ＫＬ２ａ１ｂ１，ＫＬ２ａ１ｂ２，ＫＬ２ａ２ｂ１，ＫＬ２ａ２ｂ２，
とすると、Ｌ＊＝５７．０、ａ＊＝５．３、ｂ＊＝３５．６についてのＣＭＹＫの値は次式によって求められる。
【００７９】
Ｃ＝ＤＬ２×Ｄａ２×Ｄｂ２×ＣＬ１ａ１ｂ１
＋ＤＬ２×Ｄａ２×Ｄｂ１×ＣＬ１ａ１ｂ２
＋ＤＬ２×Ｄａ１×Ｄｂ２×ＣＬ１ａ２ｂ１
＋ＤＬ２×Ｄａ１×Ｄｂ１×ＣＬ１ａ２ｂ２
＋ＤＬ１×Ｄａ２×Ｄｂ２×ＣＬ２ａ１ｂ１
＋ＤＬ１×Ｄａ２×Ｄｂ１×ＣＬ２ａ１ｂ２
＋ＤＬ１×Ｄａ１×Ｄｂ２×ＣＬ２ａ２ｂ１
＋ＤＬ１×Ｄａ１×Ｄｂ１×ＣＬ２ａ２ｂ２
Ｍ＝ＤＬ２×Ｄａ２×Ｄｂ２×ＭＬ１ａ１ｂ１
＋ＤＬ２×Ｄａ２×Ｄｂ１×ＭＬ１ａ１ｂ２
＋ＤＬ２×Ｄａ１×Ｄｂ２×ＭＬ１ａ２ｂ１
＋ＤＬ２×Ｄａ１×Ｄｂ１×ＭＬ１ａ２ｂ２
＋ＤＬ１×Ｄａ２×Ｄｂ２×ＭＬ２ａ１ｂ１
＋ＤＬ１×Ｄａ２×Ｄｂ１×ＭＬ２ａ１ｂ２
＋ＤＬ１×Ｄａ１×Ｄｂ２×ＭＬ２ａ２ｂ１
＋ＤＬ１×Ｄａ１×Ｄｂ１×ＭＬ２ａ２ｂ２
Ｙ＝ＤＬ２×Ｄａ２×Ｄｂ２×ＹＬ１ａ１ｂ１
＋ＤＬ２×Ｄａ２×Ｄｂ１×ＹＬ１ａ１ｂ２
＋ＤＬ２×Ｄａ１×Ｄｂ２×ＹＬ１ａ２ｂ１
＋ＤＬ２×Ｄａ１×Ｄｂ１×ＹＬ１ａ２ｂ２
＋ＤＬ１×Ｄａ２×Ｄｂ２×ＹＬ２ａ１ｂ１
＋ＤＬ１×Ｄａ２×Ｄｂ１×ＹＬ２ａ１ｂ２
＋ＤＬ１×Ｄａ１×Ｄｂ２×ＹＬ２ａ２ｂ１
＋ＤＬ１×Ｄａ１×Ｄｂ１×ＹＬ２ａ２ｂ２
Ｋ＝ＤＬ２×Ｄａ２×Ｄｂ２×ＫＬ１ａ１ｂ１
＋ＤＬ２×Ｄａ２×Ｄｂ１×ＫＬ１ａ１ｂ２
＋ＤＬ２×Ｄａ１×Ｄｂ２×ＫＬ１ａ２ｂ１
＋ＤＬ２×Ｄａ１×Ｄｂ１×ＫＬ１ａ２ｂ２
＋ＤＬ１×Ｄａ２×Ｄｂ２×ＫＬ２ａ１ｂ１
＋ＤＬ１×Ｄａ２×Ｄｂ１×ＫＬ２ａ１ｂ２
＋ＤＬ１×Ｄａ１×Ｄｂ２×ＫＬ２ａ２ｂ１
＋ＤＬ１×Ｄａ１×Ｄｂ１×ＫＬ２ａ２ｂ２
となる。
【００８０】
（Ｓ１３）
上述のようにして、ステップＳ１１とステップＳ１２とをＣ×Ｍ×Ｙ×Ｋ：２１×２１×２１×２１＝１９４４８１点の入力点について繰り返して行い、結果をＬＵＴ化してＣＭＹＫ４次元入力ＣＭＹＫ４次元出力のＣＭＹＫ→ＣＭＹＫ  ＬＵＴ１３６とする。
【００８１】
（Ｓ１０３）
このデバイスリンクカラープロファイルＣＭＹＫ→ＣＭＹＫ  ＬＵＴ１３６によって画像データについて１画素ずつＣＭＹＫの階調を変換し色調整を行う。そして、変換した画像データを校正用カラープリンタ２に送信し、校正用カラープリンタ２は送信された画像データに基づいて画像を出力する。
【００８２】
例えば、画像データの画素がＣ＝２５、Ｍ＝５１、Ｙ＝１９１、Ｋ＝１０であれば、ＣＭＹＫ：２１×２１×２１×２１→ＣＭＹＫ  ＬＵＴ１３６のＣＭＹＫ：２１×２１×２１×２１内の入力点と、ＣＭＹＫそれぞれの入力点への距離は、
Ｃ：２５／２５５×２０＝１．９６なので、Ｃの１つ目の点Ｃ１とＣ１への距離ＤＣ１と、Ｃの２つ目の点Ｃ２とＣ２への距離ＤＣ２は、Ｃ１＝１、ＤＣ１＝０．９６、Ｃ２＝２、ＤＣ２＝０．０４
Ｍ：５１／２５５×２０＝４．０なので、Ｍの１つ目の点Ｍ１とＭ１への距離ＤＭ１と、Ｍの２つ目の点Ｍ２とＭ２への距離ＤＭ２は、Ｍ１＝４、ＤＭ１＝０．０、Ｍ２＝５、ＤＭ２＝１．０
Ｙ：１９１／２５５×２０＝１４．９８なので、Ｙの１つ目の点Ｙ１とＹ１への距離ＤＹ１と、Ｙの２つ目の点Ｙ２とＹ２への距離ＤＹ２は、Ｙ１＝１４、ＤＹ１＝０．９８、Ｙ２＝１５、ＤＹ２＝０．０２
Ｋ：１０／２５５×２０＝０．７８なので、Ｋの１つ目の点Ｋ１とＫ１への距離ＤＫ１と、Ｋの２つ目の点Ｋ２とＫ２への距離ＤＫ２は、Ｋ１＝０、ＤＫ１＝０．７８、Ｋ２＝１、ＤＫ２＝０．２２となる。
【００８３】
ＣＭＹＫ→ＣＭＹＫ  ＬＵＴからのＣ２点（Ｃ１、Ｃ２）×Ｍ２点（Ｍ１、Ｍ２）×Ｙ２点（Ｙ１、Ｙ２）×Ｋ２点（Ｋ１、Ｋ２）  ＝１６点についてのＣＭＹＫ出力値を、
Ｃｃ１ｍ１ｙ１ｋ１、Ｃｃ１ｍ１ｙ１ｋ２、Ｃｃ１ｍ１ｙ２ｋ１、
Ｃｃ１ｍ１ｙ２ｋ２、Ｃｃ１ｍ２ｙ１ｋ１、Ｃｃ１ｍ２ｙ１ｋ２、
Ｃｃ１ｍ２ｙ２ｋ１、Ｃｃ１ｍ２ｙ２ｋ２、Ｃｃ２ｍ１ｙ１ｋ１、
Ｃｃ２ｍ１ｙ１ｋ２、Ｃｃ２ｍ１ｙ２ｋ１、Ｃｃ２ｍ１ｙ２ｋ２、
Ｃｃ２ｍ２ｙ１ｋ１、Ｃｃ２ｍ２ｙ１ｋ２、Ｃｃ２ｍ２ｙ２ｋ１、
Ｃｃ２ｍ２ｙ２ｋ２、
Ｍｃ１ｍ１ｙ１ｋ１、Ｍｃ１ｍ１ｙ１ｋ２、Ｍｃ１ｍ１ｙ２ｋ１、
Ｍｃ１ｍ１ｙ２ｋ２、Ｍｃ１ｍ２ｙ１ｋ１、Ｍｃ１ｍ２ｙ１ｋ２、
Ｍｃ１ｍ２ｙ２ｋ１、Ｍｃ１ｍ２ｙ２ｋ２、Ｍｃ２ｍ１ｙ１ｋ１、
Ｍｃ２ｍ１ｙ１ｋ２、Ｍｃ２ｍ１ｙ２ｋ１、Ｍｃ２ｍ１ｙ２ｋ２、
Ｍｃ２ｍ２ｙ１ｋ１、Ｍｃ２ｍ２ｙ１ｋ２、Ｍｃ２ｍ２ｙ２ｋ１、
Ｍｃ２ｍ２ｙ２ｋ２、
Ｙｃ１ｍ１ｙ１ｋ１、Ｙｃ１ｍ１ｙ１ｋ２、Ｙｃ１ｍ１ｙ２ｋ１、
Ｙｃ１ｍ１ｙ２ｋ２、Ｙｃ１ｍ２ｙ１ｋ１、Ｙｃ１ｍ２ｙ１ｋ２、
Ｙｃ１ｍ２ｙ２ｋ１、Ｙｃ１ｍ２ｙ２ｋ２、Ｙｃ２ｍ１ｙ１ｋ１、
Ｙｃ２ｍ１ｙ１ｋ２、Ｙｃ２ｍ１ｙ２ｋ１、Ｙｃ２ｍ１ｙ２ｋ２、
Ｙｃ２ｍ２ｙ１ｋ１、Ｙｃ２ｍ２ｙ１ｋ２、Ｙｃ２ｍ２ｙ２ｋ１、
Ｙｃ２ｍ２ｙ２ｋ２、
Ｋｃ１ｍ１ｙ１ｋ１、Ｋｃ１ｍ１ｙ１ｋ２、Ｋｃ１ｍ１ｙ２ｋ１、
Ｋｃ１ｍ１ｙ２ｋ２、Ｋｃ１ｍ２ｙ１ｋ１、Ｋｃ１ｍ２ｙ１ｋ２、
Ｋｃ１ｍ２ｙ２ｋ１、Ｋｃ１ｍ２ｙ２ｋ２、Ｋｃ２ｍ１ｙ１ｋ１、
Ｋｃ２ｍ１ｙ１ｋ２、Ｋｃ２ｍ１ｙ２ｋ１、Ｋｃ２ｍ１ｙ２ｋ２、
Ｋｃ２ｍ２ｙ１ｋ１、Ｋｃ２ｍ２ｙ１ｋ２、Ｋｃ２ｍ２ｙ２ｋ１、
Ｋｃ２ｍ２ｙ２ｋ２、
とすると、Ｃ＝２５、Ｍ＝５１、Ｙ＝１９１、Ｋ＝１０の画素についてのＣＭＹＫ出力値はＣｔｒｓ、Ｍｔｒｓ、Ｙｔｒｓ、Ｋｔｒｓとして次式によって求めることができる。
【００８４】
Ｃｔｒｓ＝ＤＣ２×ＤＭ２×ＤＹ２×ＤＫ２×Ｃｃ１ｍ１ｙ１ｋ１
＋ＤＣ２×ＤＭ２×ＤＹ２×ＤＫ１×Ｃｃ１ｍ１ｙ１ｋ２
＋ＤＣ２×ＤＭ２×ＤＹ１×ＤＫ２×Ｃｃ１ｍ１ｙ２ｋ１
＋ＤＣ２×ＤＭ２×ＤＹ１×ＤＫ１×Ｃｃ１ｍ１ｙ２ｋ２
＋ＤＣ２×ＤＭ１×ＤＹ２×ＤＫ２×Ｃｃ１ｍ２ｙ１ｋ１
＋ＤＣ２×ＤＭ１×ＤＹ２×ＤＫ１×Ｃｃ１ｍ２ｙ１ｋ２
＋ＤＣ２×ＤＭ１×ＤＹ１×ＤＫ２×Ｃｃ１ｍ２ｙ２ｋ１
＋ＤＣ２×ＤＭ１×ＤＹ１×ＤＫ１×Ｃｃ１ｍ２ｙ２ｋ２
＋ＤＣ１×ＤＭ２×ＤＹ２×ＤＫ２×Ｃｃ２ｍ１ｙ１ｋ１
＋ＤＣ１×ＤＭ２×ＤＹ２×ＤＫ１×Ｃｃ２ｍ１ｙ１ｋ２
＋ＤＣ１×ＤＭ２×ＤＹ１×ＤＫ２×Ｃｃ２ｍ１ｙ２ｋ１
＋ＤＣ１×ＤＭ２×ＤＹ１×ＤＫ１×Ｃｃ２ｍ１ｙ２ｋ２
＋ＤＣ１×ＤＭ１×ＤＹ２×ＤＫ２×Ｃｃ２ｍ２ｙ１ｋ１
＋ＤＣ１×ＤＭ１×ＤＹ２×ＤＫ１×Ｃｃ２ｍ２ｙ１ｋ２
＋ＤＣ１×ＤＭ１×ＤＹ１×ＤＫ２×Ｃｃ２ｍ２ｙ２ｋ１
＋ＤＣ１×ＤＭ１×ＤＹ１×ＤＫ１×Ｃｃ２ｍ２ｙ２ｋ２
Ｍｔｒｓ＝ＤＣ２×ＤＭ２×ＤＹ２×ＤＫ２×Ｍｃ１ｍ１ｙ１ｋ１
＋ＤＣ２×ＤＭ２×ＤＹ２×ＤＫ１×Ｍｃ１ｍ１ｙ１ｋ２
＋ＤＣ２×ＤＭ２×ＤＹ１×ＤＫ２×Ｍｃ１ｍ１ｙ２ｋ１
＋ＤＣ２×ＤＭ２×ＤＹ１×ＤＫ１×Ｍｃ１ｍ１ｙ２ｋ２
＋ＤＣ２×ＤＭ１×ＤＹ２×ＤＫ２×Ｍｃ１ｍ２ｙ１ｋ１
＋ＤＣ２×ＤＭ１×ＤＹ２×ＤＫ１×Ｍｃ１ｍ２ｙ１ｋ２
＋ＤＣ２×ＤＭ１×ＤＹ１×ＤＫ２×Ｍｃ１ｍ２ｙ２ｋ１
＋ＤＣ２×ＤＭ１×ＤＹ１×ＤＫ１×Ｍｃ１ｍ２ｙ２ｋ２
＋ＤＣ１×ＤＭ２×ＤＹ２×ＤＫ２×Ｍｃ２ｍ１ｙ１ｋ１
＋ＤＣ１×ＤＭ２×ＤＹ２×ＤＫ１×Ｍｃ２ｍ１ｙ１ｋ２
＋ＤＣ１×ＤＭ２×ＤＹ１×ＤＫ２×Ｍｃ２ｍ１ｙ２ｋ１
＋ＤＣ１×ＤＭ２×ＤＹ１×ＤＫ１×Ｍｃ２ｍ１ｙ２ｋ２
＋ＤＣ１×ＤＭ１×ＤＹ２×ＤＫ２×Ｍｃ２ｍ２ｙ１ｋ１
＋ＤＣ１×ＤＭ１×ＤＹ２×ＤＫ１×Ｍｃ２ｍ２ｙ１ｋ２
＋ＤＣ１×ＤＭ１×ＤＹ１×ＤＫ２×Ｍｃ２ｍ２ｙ２ｋ１
＋ＤＣ１×ＤＭ１×ＤＹ１×ＤＫ１×Ｍｃ２ｍ２ｙ２ｋ２
Ｙｔｒｓ＝ＤＣ２×ＤＭ２×ＤＹ２×ＤＫ２×Ｙｃ１ｍ１ｙ１ｋ１
＋ＤＣ２×ＤＭ２×ＤＹ２×ＤＫ１×Ｙｃ１ｍ１ｙ１ｋ２
＋ＤＣ２×ＤＭ２×ＤＹ１×ＤＫ２×Ｙｃ１ｍ１ｙ２ｋ１
＋ＤＣ２×ＤＭ２×ＤＹ１×ＤＫ１×Ｙｃ１ｍ１ｙ２ｋ２
＋ＤＣ２×ＤＭ１×ＤＹ２×ＤＫ２×Ｙｃ１ｍ２ｙ１ｋ１
＋ＤＣ２×ＤＭ１×ＤＹ２×ＤＫ１×Ｙｃ１ｍ２ｙ１ｋ２
＋ＤＣ２×ＤＭ１×ＤＹ１×ＤＫ２×Ｙｃ１ｍ２ｙ２ｋ１
＋ＤＣ２×ＤＭ１×ＤＹ１×ＤＫ１×Ｙｃ１ｍ２ｙ２ｋ２
＋ＤＣ１×ＤＭ２×ＤＹ２×ＤＫ２×Ｙｃ２ｍ１ｙ１ｋ１
＋ＤＣ１×ＤＭ２×ＤＹ２×ＤＫ１×Ｙｃ２ｍ１ｙ１ｋ２
＋ＤＣ１×ＤＭ２×ＤＹ１×ＤＫ２×Ｙｃ２ｍ１ｙ２ｋ１
＋ＤＣ１×ＤＭ２×ＤＹ１×ＤＫ１×Ｙｃ２ｍ１ｙ２ｋ２
＋ＤＣ１×ＤＭ１×ＤＹ２×ＤＫ２×Ｙｃ２ｍ２ｙ１ｋ１
＋ＤＣ１×ＤＭ１×ＤＹ２×ＤＫ１×Ｙｃ２ｍ２ｙ１ｋ２
＋ＤＣ１×ＤＭ１×ＤＹ１×ＤＫ２×Ｙｃ２ｍ２ｙ２ｋ１
＋ＤＣ１×ＤＭ１×ＤＹ１×ＤＫ１×Ｙｃ２ｍ２ｙ２ｋ２
Ｋｔｒｓ＝ＤＣ２×ＤＭ２×ＤＹ２×ＤＫ２×Ｋｃ１ｍ１ｙ１ｋ１
＋ＤＣ２×ＤＭ２×ＤＹ２×ＤＫ１×Ｋｃ１ｍ１ｙ１ｋ２
＋ＤＣ２×ＤＭ２×ＤＹ１×ＤＫ２×Ｋｃ１ｍ１ｙ２ｋ１
＋ＤＣ２×ＤＭ２×ＤＹ１×ＤＫ１×Ｋｃ１ｍ１ｙ２ｋ２
＋ＤＣ２×ＤＭ１×ＤＹ２×ＤＫ２×Ｋｃ１ｍ２ｙ１ｋ１
＋ＤＣ２×ＤＭ１×ＤＹ２×ＤＫ１×Ｋｃ１ｍ２ｙ１ｋ２
＋ＤＣ２×ＤＭ１×ＤＹ１×ＤＫ２×Ｋｃ１ｍ２ｙ２ｋ１
＋ＤＣ２×ＤＭ１×ＤＹ１×ＤＫ１×Ｋｃ１ｍ２ｙ２ｋ２
＋ＤＣ１×ＤＭ２×ＤＹ２×ＤＫ２×Ｋｃ２ｍ１ｙ１ｋ１
＋ＤＣ１×ＤＭ２×ＤＹ２×ＤＫ１×Ｋｃ２ｍ１ｙ１ｋ２
＋ＤＣ１×ＤＭ２×ＤＹ１×ＤＫ２×Ｋｃ２ｍ１ｙ２ｋ１
＋ＤＣ１×ＤＭ２×ＤＹ１×ＤＫ１×Ｋｃ２ｍ１ｙ２ｋ２
＋ＤＣ１×ＤＭ１×ＤＹ２×ＤＫ２×Ｋｃ２ｍ２ｙ１ｋ１
＋ＤＣ１×ＤＭ１×ＤＹ２×ＤＫ１×Ｋｃ２ｍ２ｙ１ｋ２
＋ＤＣ１×ＤＭ１×ＤＹ１×ＤＫ２×Ｋｃ２ｍ２ｙ２ｋ１
＋ＤＣ１×ＤＭ１×ＤＹ１×ＤＫ１×Ｋｃ２ｍ２ｙ２ｋ２
となる。
【００８５】
このように、デバイスリンクカラープロファイル作成の際に、少なくとも印刷機のデバイスカラープロファイル（ＣＭＹＫ→Ｌ＊ａ＊ｂ＊  ＬＵＴ１３２）におけるＫ＝Ｙ＝０でＣ、Ｍそれぞれの０から最大値までのＣＭＹＫの組み合わせに対応するＬ＊ａ＊ｂ＊値、Ｋ＝Ｍ＝０でＣ、Ｙそれぞれの０から最大値までのＣＭＹＫの組み合わせに対応するＬ＊ａ＊ｂ＊値、及び、Ｋ＝Ｃ＝０でＭ、Ｙそれぞれの０から最大値までのＣＭＹＫの組み合わせに対応するＬ＊ａ＊ｂ＊値のそれぞれについて、それぞれ校正用カラープリンタ２のデバイスカラープロファイル（ＣＭＹＫ→Ｌ＊ａ＊ｂ＊  ＬＵＴ１３４）においてＫ＝Ｙ＝０でＣ、Ｍそれぞれを０から２５５まで変化させたときにＬ＊ａ＊ｂ＊座標空間に形成される面、Ｋ＝Ｍ＝０でＣ、Ｙそれぞれを０から２５５まで変化させたときにＬ＊ａ＊ｂ＊座標空間に形成される面、及び、Ｋ＝Ｃ＝０でＭ、Ｙそれぞれを０から２５５まで変化させたときにＬ＊ａ＊ｂ＊座標空間に形成される面の面上のＬ＊ａ＊ｂ＊値に写像することにより、印刷機でＣ、ＭまたはＹの単色、ＣＭ、ＭＹまたはＣＹの２色で出力される色については校正用カラープリンタ２においても同様に単色または２色で出力するように、またＣ、Ｍ、Ｙのうちの単色のベタや２色のベタを校正用カラープリンタ２で再現するように色変換することができる。
【００８６】
ただし、算出の過程の計算誤差等により、デバイスリンクカラープロファイルＣＭＹＫ→ＣＭＹＫ  ＬＵＴ１３６で、例えば、Ｃ単色の入力に対して出力側にＭ、Ｙ、Ｋが少量入ることや、ＣＭ２色の入力に対して出力側にＹ、Ｋが少量入ることや、Ｃ単色の最大値の入力に対して出力側が最大値にならないことや、ＣＭ２色が最大値の入力に対して出力側が最大値にならないことがあるが、このような場合には、上述のようにデバイスリンクカラープロファイルＣＭＹＫ→ＣＭＹＫ  ＬＵＴ１３６を作成した後で、図２７に示すように出力側を単色、２色、または、最大値の出力に変更する補正をしてもよい。また、その場合にトーンジャンプなどをなくすために、その周囲の点についてもそれらの変更にとともに変更してもよい。
【００８７】
【発明の効果】
以上説明したように、本発明の色調整方法によれば、印刷機の出力する画像データに基づく画像の色を目標とし、校正用カラープリンタでその画像を出力するときに、その目標とする色で出力するように画像データの４色の基本色（Ｃ、Ｍ、Ｙ、Ｋ）のパラメータの組み合わせをカラープロファイル（ＣＭＹＫ→ＣＭＹＫ  ＬＵＴ）を用いて変換する場合に、印刷機でＣ、ＭまたはＹの単色、ＣＭ、ＭＹまたはＣＹの２色で出力される色については校正用カラープリンタにおいても同様に単色または２色で出力するように変換することが可能な色調整方法、この色調整方法実行のためのプログラム及びプログラムを格納した記録媒体を提供できる。
【図面の簡単な説明】
【図１】本発明に係る一実施の形態を示す機能ブロック図である。
【図２】本実施の形態におけるデバイスリンクカラープロファイルを用いた印刷機と校正用カラープリンタの色調整方法の手順を示すフローチャートである。
【図３】本実施の形態においてＣＭＹＫの組み合わせを表色系の値Ｌ＊ａ＊ｂ＊に変換するＬＵＴの説明図である。
【図４】本実施の形態においてＣＭＹＫの組み合わせに対する色のＬ＊ａ＊ｂ＊値を測色するためのカラーパッチ像の一例を示す図である。
【図５】本実施の形態においてＣＭＹと表色系の値による軌跡上のサンプル点と補間する点の分布を示す図である。
【図６】本実施の形態においてＣＭＹの組み合わせを表色系の値に変換する際の補間処理の順番を示す図である。
【図７】本実施の形態において表色系の値Ｌ＊ａ＊ｂ＊をＣＭＹＫの組み合わせに変換するＬＵＴの説明図である。
【図８】本実施の形態におけるＬ＊ａ＊ｂ＊→ＣＭＹＫ  ＬＵＴの３次元入力／４次元出力ＬＵＴを求める手順のフローチャートである。
【図９】本実施の形態においてＣ、Ｍの表色系の座標における目標値Ｔ’を示す座標図である。
【図１０】本実施の形態においてＣ、Ｍの色の組み合わせの座標における目標値Ｔを示す座標図である。
【図１１】本実施の形態においてＣ、Ｍの色の組み合わせの座標における目標値Ｔを推定するための収束演算処理の座標図である。
【図１２】本実施の形態においてＣ、Ｍの表色系の座標における目標値Ｔ’を推定するための収束演算処理の座標図である。
【図１３】本実施の形態において目標値Ｔ’が色再現範囲の外にある場合のＣ、Ｍの表色系の座標における目標値Ｔ’を示す図である。
【図１４】本実施の形態において目標値Ｔ’が色再現範囲の外にある場合のＣ、Ｍの表色系の座標における目標値Ｔ’を示す座標図で、目標値Ｔ’を色再現範囲の内に移動させたことを示す座標図である。
【図１５】本実施の形態において色再現範囲の外にある目標値Ｔ’を色再現範囲の内に移動させた場合のＣ、Ｍの色の組み合わせの座標における目標値Ｔを示す図である。
【図１６】本実施の形態において印刷機のＣＭＹＫの組み合わせを校正用カラープリンタのＣＭＹＫの組み合わせに変換するＬＵＴの説明図である。
【図１７】本実施の形態におけるデバイスリンクカラープロファイルを作成する手順を示すフローチャートである。
【図１８】ａ＊ｂ＊座標平面上の写像の対象となる印刷機のＬ＊ａ＊ｂ＊値により形成される面を示す図である。
【図１９】ａ＊ｂ＊座標平面上の写像の対象となる印刷機のＬ＊ａ＊ｂ＊値により形成される面及び写像に用いる校正用カラープリンタのＬ＊ａ＊ｂ＊値により形成される面を示す図である。
【図２０】ａ＊ｂ＊座標平面における印刷機のＣ単色の色相の軌跡と校正用カラープリンタのＣ単色のａ＊ｂ＊値を示す図である。
【図２１】Ｌ＊Ｃ＊座標平面における印刷機のＣ単色のＬ＊Ｃ＊値と校正用カラープリンタのＣ単色のＬ＊Ｃ＊値を示す図である。
【図２２】ａ＊ｂ＊座標平面において、印刷機のＣ単色のＬ＊ａ＊ｂ＊値を校正用カラープリンタのＣ単色の色相及び彩度に移動させることを示す図である。
【図２３】図２２に示す移動を行うに伴って移動させるＬ＊ａ＊ｂ＊値のａ＊ｂ＊座標平面における範囲の一例を示す図である。
【図２４】図２２に示す移動を行うに伴って移動させるＬ＊ａ＊ｂ＊値のＬ＊Ｃ＊座標平面における範囲の一例を示す図である。
【図２５】Ｌ＊Ｃ＊座標平面において、印刷機のＣ単色のＬ＊ａ＊ｂ＊値を校正用カラープリンタのＣ単色の明度に移動させることを示す図である。
【図２６】本実施の形態におけるデバイスリンクカラープロファイルを作成する手順を示すフローチャートである。
【図２７】デバイスリンクカラープロファイルの補正内容を示す図である。
【符号の説明】
１  制御装置
１０  記憶部
１２  画像データ記憶部
１３  ＬＵＴ記憶部
１１  制御部
１４  色調整手段
１５  ＬＵＴ作成手段
２  校正用カラープリンタ
【図１】
2004357077.tif 000003
【図２】
2004357077.tif 000004
【図３】
2004357077.tif 000005
【図４】
2004357077.tif 000006
【図５】
2004357077.tif 000007
【図６】
2004357077.tif 000008
【図７】
2004357077.tif 000009
【図８】
2004357077.tif 000010
【図９】
2004357077.tif 000011
【図１０】
2004357077.tif 000012
【図１１】
2004357077.tif 000013
【図１２】
2004357077.tif 000014
【図１３】
2004357077.tif 000015
【図１４】
2004357077.tif 000016
【図１５】
2004357077.tif 000017
【図１６】
2004357077.tif 000018
【図１７】
2004357077.tif 000019
【図１８】
2004357077.tif 000020
【図１９】
2004357077.tif 000021
【図２０】
2004357077.tif 000022
【図２１】
2004357077.tif 000023
【図２２】
2004357077.tif 000024
【図２３】
2004357077.tif 000025
【図２４】
2004357077.tif 000026
【図２５】
2004357077.tif 000027
【図２６】
2004357077.tif 000028
【図２７】
2004357077.tif 000029